(57)【特許請求の範囲】
【請求項１】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いる通信システムであって、移動端末に対して一対多型の放送通信サービスであるＭＢＭＳ（Multimedia Broadcast Multicast Service）を提供する放送型データの送信及び前記移動端末に対して一対一型の個別通信データを送信可能な移動体通信システムにおいて、
前記通信システムは、移動端末が前記個別通信データを送受信可能なセルであるユニキャストセル、前記移動端末が前記放送型データの受信はできるが、前記個別通信データの送受信はできないＭＢＭＳ専用セル、前記ユニキャストセルと前記ＭＢＭＳ専用セルの双方のサービスを提供できるユニキャスト／ＭＢＭＳ混合セルの３種類のセルを備え、前記ＭＢＭＳ専用セルは、複数の基地局が同期して前記放送型データの送信を行うＭＢＳＦＮ（Multimedia Broadcast multicast service Single Frequency Network）同期エリアを構成しており、
前記ＭＢＭＳ専用セルから送信される前記放送型データを受信中に前記移動端末に対するページング信号を、前記ＭＢＳＦＮ同期エリアに含まれる複数のセルにおいて同期して送信することを特徴とする移動体通信システム。
【請求項２】
ページング信号は、ＭＢＳＦＮ同期エリアに含まれるセルから移動端末に対する下りリンクに設けられた、ページング専用の物理チャネルで送信されることを特徴とする請求項１に記載の移動体通信システム。
【請求項３】
ページング信号は、ＭＢＳＦＮ同期エリアに含まれるセルから移動端末に対する下りリンクに設けられた、ＭＢＭＳ送信を制御するための共通チャネルであるマルチキャスト制御チャネルで送信されることを特徴とする請求項１に記載の移動体通信システム。
【請求項４】
ページング専用の物理チャネルは、ＭＢＳＦＮ同期エリアを構成するセルに応じて時分割多重方式及び符号分割多重方式を選択的に用いて多重化されていることを特徴とする請求項２に記載の移動体通信システム。
【請求項５】
マルチキャスト制御チャネルは、ページング信号とＭＢＭＳ送信を制御するためのＭＢＭＳ制御情報を含むことを特徴とする請求項３に記載の移動体通信システム。
【請求項６】
マルチキャスト制御チャネルは、ＭＢＭＳ制御情報が変更されたかを示す識別情報をさらに含むことを特徴とする請求項５に記載の移動体通信システム。
【発明の詳細な説明】
【技術分野】
【０００１】
本発明は、基地局が複数の移動端末と無線通信を実施する移動体通信システムに関するものであり、特に放送型マルチメディアサービス（MBMS: Multimedia Broadcast Multicast Service）を移動端末に提供可能な移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についても規格化されている。Ｗ−ＣＤＭＡは、移動体通信システムの規格化団体である３ＧＰＰ（3rd Generation Partnership Project）により定められた通信方式であり、リリース７版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワークを含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core, aGW: Access Gatewayと称されることもある)と称される。このＬＴＥの通信システムでは、ユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。Ｓ−ＧＷ１０４はひとつまたは複数の基地局１０２とユーザデータの送受信を行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。フレーム毎に１番目（＃０）と６番目（＃５）のサブフレームに下り同期チャネル（Downlink Synchronization Channel: SCH）が含まれる。同期信号には第一同期チャネル（Primary Synchronization Channel: P-SCH）と第二同期チャネル（Secondary Synchronization Channel: S-SCH）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）がマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末の間欠受信（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末の間欠受信をサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１０】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１１】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１２】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。ＣＣＣＨを下りに設けるかは現時点で決まっていない。上り方向では、ＣＣＣＨはトランスポートチャネルである上り共有チャネル(UL-SCH)へマッピングされる。
【００１３】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１４】
３ＧＰＰでの、Ｅ−ＭＢＭＳサービスに関する現在の決定事項が、非特許文献１に記載されている。Ｅ−ＭＢＭＳに関する言葉の定義（非特許文献１  １５章）について、図７を用いて説明する。図７は、ＭＢＳＦＮ同期エリアとＭＢＳＦＮエリアとの関係を説明する説明図である。図７において、ＭＢＳＦＮ同期エリア７０１（Multimedia Broadcast multicast service Single Frequency Network Synchronization Area）とは、すべての基地局が同期し、ＭＢＳＦＮ（Multimedia Broadcast Multicast service Single Frequency Network）送信を実行することができるネットワークの領域のことである。ＭＢＳＦＮ同期エリアは１つ以上のＭＢＳＦＮエリア（MBSFN Areas）７０２を含む。１つの周波数レイヤ（frequency layer）では、基地局は１つのＭＢＳＦＮ同期エリアにしか属すことができない。ＭＢＳＦＮエリア７０２（MBSFN Area）は、ネットワークのＭＢＳＦＮ同期エリアに含まれる基地局（セル）のグループから構成される。ＭＢＳＦＮ同期エリア中の基地局（セル）は複数のＭＢＳＦＮエリアを構成することもある。
【００１５】
Ｅ−ＭＢＭＳの論理構造（Logical Architecture）について（非特許文献１  １５章）図８を用いて説明する。図８は、Ｅ−ＭＢＭＳの論理構造（Logical Architecture）を説明する説明図である。図８において、マルチセル／マルチキャスト調整エンティティ８０１（Multi-cell/multicast Coordination Entity: MCE）とは論理エンティティである。ＭＣＥ８０１は、マルチセルＭＢＭＳ送信（multi-cell MBMS transmission）を行うため、ＭＢＳＦＮエリア中の全ての基地局に対する無線リソースの割り当てを行う。ＭＣＥ８０１は時間あるいは／かつ周波数の無線リソースの割り当て以外に、無線構造の詳細（例えば、変調方式、コードなど）についての決定を行う。Ｅ−ＭＢＭＳゲートウェイ８０２（MBMS GW）とは論理エンティティである。Ｅ−ＭＢＭＳゲートウェイ８０２はｅＢＭＳＣと基地局間に位置し、主要な機能は、サービスを各基地局へＳＹＮＣプロトコルにてＭＢＭＳサービスを送信／放送することである。Ｍ３インタフェースとは、ＭＣＥ８０１とＥ−ＭＢＭＳゲートウェイ８０２間の制御インタフェース（Control Plane Interface）である。Ｍ２インタフェースとは、ＭＣＥ８０１とｅＮＢ１０２間の制御インタフェースである。Ｍ１インタフェースとは、Ｅ−ＭＢＭＳゲートウェイ８０２とｅＮＢ１０２間のユーザデータインタフェース（User Plane Interface）である。
【００１６】
Ｅ−ＭＢＭＳのアーキテクチャ（Architecture）について（非特許文献１  １５章）説明する。図９は、Ｅ−ＭＢＭＳのアーキテクチャを説明する説明図である。Ｅ−ＭＢＭＳのアーキテクチャについては、図９Ａ、Ｂに示すように２つが考えられている。ＭＢＭＳのセルについて（非特許文献１  １５）説明する。ＬＴＥシステムでは、ＭＢＭＳ専用セル（基地局）（MBMS-dedicated cell）とＭＢＭＳとユニキャストの両方のサービスを実行できるＭＢＭＳ／ユニキャスト混合セル(MBMS/ Unicast -mixed cell)がある。ＭＢＭＳ専用セルについて説明する。ＭＢＭＳ専用セルがＭＢＭＳ送信専用の周波数レイヤに属する場合の特徴を以下に述べる。以降にて、ＭＢＭＳ送信専用の周波数レイヤは、ＭＢＭＳ専用セルの周波数レイヤとも称する。ともに下り論理チャネルであるＭＴＣＨ（マルチキャストトラヒックチャネル）とＭＣＣＨ（マルチキャスト制御チャネル）は、１対多送信にて下りトランスポートチャネルであるＭＣＨ（マルチキャストチャネル）あるいはＤＬ−ＳＣＨ（下り共有チャネル）にマッピングされる。ＭＢＭＳ専用セルにおいて上りリンクは存在しない。また、ＭＢＭＳ専用セル内でユニキャストデータの送受信はできない。また、カウンティングメカニズムも設定されない。ＭＢＭＳ送信専用の周波数レイヤでページング信号（Paging messages）を設けるかは未定である。
【００１７】
次にＭＢＭＳ／ユニキャスト混合セルについて説明する。ＭＢＭＳ／ユニキャスト混合セルがＭＢＭＳ送信専用の周波数レイヤに属さない場合の特徴を以下に述べる。ＭＢＭＳ送信専用の周波数レイヤ以外の周波数レイヤを「ユニキャスト／ミクスド周波数レイヤ」と称する。ともに下り論理チャネルであるＭＴＣＨとＭＣＣＨは、１対多送信にて下り論理チャネルであるＭＣＨあるいはＤＬ−ＳＣＨにマッピングされる。ＭＢＭＳ／ユニキャスト混合セルではユニキャストデータとＭＢＭＳデータの両方の送信が可能である。
【００１８】
ＭＢＭＳ送信について（非特許文献１  １５章）説明する。ＬＴＥシステムでのＭＢＭＳ送信は、シングルセル送信（Single-cell transmission: SC送信）とマルチセル送信（multi-cell transmission: MC送信）をサポートする。シングルセル送信ではＳＦＮ（Single frequency Network）オペレーションをサポートしない。また、マルチセル送信ではＳＦＮオペレーションをサポートする。ＭＢＳＦＮ(Multimedia Broadcast multicast service Single Frequency Network)エリアにてＭＢＭＳの送信は同期している。マルチセル送信におけるＭＢＭＳサービス（MTCHとMCCH）のＳＦＮ合成（Combining）がサポートされる。ＭＴＣＨとＭＣＣＨは１対多送信にてＭＣＨにマッピングされる。スケジューリングはＭＣＥによって行われる。
【００１９】
マルチキャスト制御チャネル(MCCH)構造（Structure）について（非特許文献  １５章）説明する。下り論理チャネルである報知制御チャネル(BCCH)は１つあるいは２つのプライマリマルチキャスト制御チャネル（Primary MCCH:P-MCCH）のスケジューリングを示す。シングルセル送信用のＰ−ＭＣＣＨはＤＬ−ＳＣＨ（下り共有チャネル）にマッピングされる。また、マルチセル送信用のＰ−ＭＣＣＨはＭＣＨ（マルチキャストチャネル）にマッピングされる。ＭＣＨ上にセカンダリマルチキャスト制御チャネル（Secondary MCCH:S-MCCH）がマッピングされた場合、プライマリマルチキャスト制御チャネル（P-MCCH）を用いてセカンダリマルチキャスト制御チャネル（S-MCCH）のアドレスを示すことができる。報知制御チャネル（BCCH）はプライマリマルチキャスト制御チャネル（P-MCCH）のリソースを示すが、入手可能なサービスを示すことはない。
【００２０】
３ＧＰＰでの、ページングに関する現在の決定事項が、非特許文献１（10章）に記載されている。ページンググループは、Ｌ１／Ｌ２シグナリングチャネル（PDCCH）を用いる。移動端末の明確な識別子（UE-ID）はページングチャネル(PCH)上で確認することが出来る。
【００２１】
【非特許文献１】３ＧＰＰ  ＴＳ３６．３００  Ｖ８．２．０
【００２２】
【非特許文献２】３ＧＰＰ  Ｒ１−０７２９６３
【発明の開示】
【発明が解決しようとする課題】
【００２３】
発明が解決しようとする第一の課題について説明する。非特許文献１において、ＭＢＭＳ送信専用の周波数レイヤでページング信号が存在するかは決まっていない。よってＭＢＭＳ送信専用の周波数レイヤでＭＢＭＳサービスを受信している移動端末に対するページング信号の通知方法、移動体通信システムについても確定していない。本発明では、ＭＢＭＳ送信専用の周波数レイヤでＭＢＭＳサービスを受信している移動端末に対するページング信号の通知方法、移動体通信システムについて開示することを目的とする。
【課題を解決するための手段】
【００２４】
本発明にかかる通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いる通信システムであって、移動端末に対して一対多型の放送通信サービスであるＭＢＭＳ（Multimedia Broadcast Multicast Service）を提供する放送型データの送信及び前記移動端末に対して一対一型の個別通信データを送信可能な通信システムにおいて、移動端末が個別通信データを送受信可能なセルであるユニキャストセル、移動端末が前記放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セルは、複数の基地局が同期して放送型データの送信を行うＭＢＳＦＮ（Multimedia Broadcast multicast service Single Frequency Network）同期エリアを構成しており、ＭＢＭＳ専用セルから送信される放送型データを受信中に移動端末に対するページング信号を、ＭＢＳＦＮ同期エリアに含まれるひとつまたは複数のセルにおいて同期して送信するものである。
【発明の効果】
【００２５】
本発明にかかる通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いる通信システムであって、移動端末に対して一対多型の放送通信サービスであるＭＢＭＳ（Multimedia Broadcast Multicast Service）を提供する放送型データの送信及び前記移動端末に対して一対一型の個別通信データを送信可能な通信システムにおいて、移動端末が個別通信データを送受信可能なセルであるユニキャストセル、移動端末が前記放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セルは、複数の基地局が同期して放送型データの送信を行うＭＢＳＦＮ（Multimedia Broadcast multicast service Single Frequency Network）同期エリアを構成しており、ＭＢＭＳ専用セルから送信される放送型データを受信中に移動端末に対するページング信号を、ＭＢＳＦＮ同期エリアに含まれるひとつまたは複数のセルにおいて同期して送信するので、ＭＢＭＳ送信専用セルよりＭＢＭＳサービスを提供されている移動端末にページング信号を送信することができる。
【発明を実施するための最良の形態】
【００２６】
実施の形態１．
ＬＴＥでは新たにＭＢＭＳ専用セルが設けられることが検討されている。このＭＢＭＳ専用セルでは、個別の端末宛ての個別通信を行うためのユニキャストサービスは行われない。したがって、ＭＢＭＳ専用セルにおいて、ＭＢＭＳとユニキャストサービスをともに実行可能な、例えば、３ＧＰＰのリリース６規格で規定されたＷ-ＣＤＭＡシステムで実行される方法をそのまま適用することは困難である。ＭＢＭＳ専用セルから移動端末がページングを受信するには新たなページングチャネルを設けることが必要である。本発明は、ＭＢＭＳ送信専用の周波数レイヤでＭＢＭＳサービスを受信している、もしくは受信しようとしている移動端末が、ＭＢＭＳ専用セルからページング信号を受信するための方法を提供するものである。また、ページング信号を送信するチャネルの構成とマッピング方法、及びそのための移動体通信システムを開示する。
【００２７】
以下、物理マルチキャストチャネル（Physical multicast channel: PMCH）上にページング信号をのせる方法を開示する。図１０は、ＭＢＳＦＮ（Multimedia Broadcast multicast service Single Frequency Network）エリア毎に設けられた物理マルチキャストチャネルの構成を示す説明図である。図１０では、下り論理チャネルであるマルチキャスト制御チャネル（Multicast control channel: MCCH）とマルチキャストトラフィックチャネル（Multicast Traffic channel: MTCH）がマッピングされたＰＭＣＨが、ＭＢＳＦＮエリア１〜３ごとに時分割多重（Time Division Multiplexing :TDM）されている。また、図１０において、セル＃n１はＭＢＳＦＮエリア１内のセル、セル＃ｎ２はＭＢＳＦＮエリア２内のセル、セル＃ｎ３はＭＢＳＦＮエリア３内のセルである。セル＃ｎ１のセルはＭＢＳＦＮエリア１に属するため、ＭＢＳＦＮエリアに対応したＰＭＣＨがある時間に送信される。ＰＭＣＨはＭＢＳＦＮエリア内でマルチセル（Multi Cell: MC）送信されるため、ＭＢＳＦＮサブフレーム上で送信される。ＭＢＳＦＮサブフレームが割り当てられるＭＢＳＦＮフレームの集合を「ＭＢＳＦＮフレームクラスタ」（MBSFN frame cluster）とする。ＭＢＭＳ専用セルではＭＢＳＦＮフレーム内全てのサブフレームをマルチセル送信に用いられるＭＢＳＦＮサブフレームとしても良い。ＭＢＳＦＮフレームクラスタが繰り返される周期を「ＭＢＳＦＮフレームクラスタ繰り返し期間」(MBSFN frame cluster Repetition period)とする。
【００２８】
ＰＭＣＨにはひとつまたは複数のＭＢＭＳ用のトランスポートチャネルのＭＣＨがマッピングされ、ＭＣＨにはＭＢＭＳ用制御情報の論理チャネルであるＭＣＣＨと、ＭＢＭＳ用データの論理チャネルであるＭＴＣＨのいずれか、あるいは両方がマッピングされる。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨがマッピングされる物理領域であるＭＢＳＦＮサブフレームが異なっていても良い。各ＭＢＳＦＮフレームクラスタ上にＭＣＣＨがマッピングされても良いし、ＭＴＣＨのみがマッピングされても良い。ＭＴＣＨのみがＰＭＣＨ上にマッピングされている場合、ＭＣＣＨの繰返し周期はＭＢＳＦＮフレームクラスタの繰返し周期と異なる。また、ＭＢＳＦＮフレームクラスタ上に複数のＭＣＣＨがマッピングされる場合も存在する。ＭＣＣＨの繰り返し周期を「ＭＣＣＨ繰り返し期間」(MCCH Repetition period)とする。図１０で、ＭＣＣＨ１はＭＢＳＦＮエリア１用のＭＢＭＳ制御情報で、ＭＴＣＨ１はＭＢＳＦＮエリア１用のＭＢＭＳデータである。セル＃ｎ２のセルはＭＢＳＦＮエリア２に属し、ＭＣＣＨ２はＭＢＳＦＮエリア２用のＭＢＭＳ制御情報で、ＭＴＣＨ２はＭＢＳＦＮエリア２用のＭＢＭＳデータである。セル＃ｎ３のセルはＭＢＳＦＮエリア３に属する。し、ＭＣＣＨ３はＭＢＳＦＮエリア３用のＭＢＭＳ制御情報で、ＭＴＣＨ３はＭＢＳＦＮエリア３用のＭＢＭＳデータである。各ＭＢＳＦＮエリア毎にＭＣＣＨの繰返し期間は異なっていても良い。ＭＢＳＦＮエリア毎のＰＭＣＨは時分割多重されている。そのため、セル間の同期が確保されているＭＢＳＦＮ同期エリア（MBSFN Synchronization Area  図７参照）内でＭＢＳＦＮエリア間のセルの直交性が得られ、他のＭＢＳＦＮエリアのセルからの干渉を防止することができる。ＭＢＳＦＮエリアではマルチセル送信されるため、各ＭＢＳＦＮエリア内のセルは、各々同一のＰＭＣＨにて同一のデータを送信する。一つのセルがに複数のＭＢＳＦＮエリアに属してが複数重複されていても、ＭＢＳＦＮエリア毎のＰＭＣＨが時分割多重されてＭＢＳＦＮサブフレーム上で送信されるため、上記ＰＭＣＨの構成は各ＭＢＳＦＮエリア間の直交性を保ったまま適用することが可能である。
【００２９】
移動端末では、自移動端末が存在するＭＢＳＦＮエリアの複数のセルからマルチセル送信されるＰＭＣＨを受信することによってＭＢＭＳを受信でき、またマルチセル送信によるＳＦＮ利得により受信品質が改善される。一つのセルが複数のＭＢＳＦＮエリアに属するような場合も、移動端末は各々のＭＢＳＦＮエリアのＰＭＣＨを受信することによって、複数のＭＢＭＳサービスを受信することが可能である。また、ある所望のＭＢＳＦＮエリアのＰＭＣＨを受信している移動端末は、該ＰＭＣＨ以外のＰＭＣＨは受信する必要がないため、該ＰＭＣＨ以外の時間、間欠受信（Discontinuous Reception: DRX）動作が可能となり消費電力を削減可能となる。ＭＢＳＦＮエリア毎にＰＭＣＨを連続して送信し、そのＭＢＳＦＮフレームをＭＢＳＦＮフレームクラスタとすることで、移動端末は連続して間欠受信動作を行うことが可能となるため、さらに消費電力を削減することが可能となる。
【００３０】
図１１は、ＭＢＳＦＮ（Multimedia Broadcast multicast service Single Frequency Network）エリア毎に設けられた物理マルチキャストチャネルの構成を示す説明図である。図１０では、ＰＭＣＨがＭＢＳＦＮエリア１〜３ごとに時分割多重（Time Division Multiplexing :TDM）されていた。図１１では、ＰＭＣＨがＭＢＳＦＮエリア１〜３ごとに符号分割多重（Code Division Multiplexing :CDM）されている場合が示される。セル＃ｎ１はＭＢＳＦＮエリア１内のセル、セル＃ｎ２はＭＢＳＦＮエリア２内のセル、セル＃ｎ３はＭＢＳＦＮエリア３内のセルである。セル＃ｎ１のセルではＭＢＳＦＮエリア１に対応したＰＭＣＨが送信される。ここで、該ＰＭＣＨは時間的に連続していても良いし、不連続でも良い。不連続の場合はＭＢＳＦＮエリアに対応したＰＭＣＨが送信されるＭＢＳＦＮフレームクラスタが繰り返される周期が「ＭＢＳＦＮフレームクラスタ繰り返し期間」（MBSFN frame cluster Repetition period）になる。また、連続の場合のＭＢＳＦＮフレームクラスタ繰り返し期間は０としても良いし、明示しなくても良い。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。ＭＣＣＨが繰り返される周期を「ＭＣＣＨ繰り返し期間」（MCCH Repetition period）とする。同様に、セル＃ｎ２のセルではＭＢＳＦＮエリア２に対応したＰＭＣＨが送信され、セル＃ｎ３のセルではＭＢＳＦＮエリア３に対応したＰＭＣＨが送信される。各ＭＢＳＦＮエリア毎にＭＣＣＨの繰返し期間は異なっていても良い。ＭＢＳＦＮエリア毎のＰＭＣＨには、ＭＢＳＦＮエリア固有の拡散符号が乗じられたデータがマッピングされるため、セル間の同期が確保されているＭＢＳＦＮ同期エリア内でＭＢＳＦＮエリア間の干渉が抑圧できる。ＭＢＳＦＮエリアではマルチセル送信が用いられるため、各ＭＢＳＦＮエリア内のセルは、各々同一のＰＭＣＨにて同一のデータ、すなわちＭＢＳＦＮエリア固有の拡散符号（Scrambling Code）が乗じられたデータを送信する。一つのセルが複数のＭＢＳＦＮエリアに属していても、上記ＰＭＣＨの構成は各ＭＢＳＦＮエリア間の干渉を抑制したまま適用することが可能である。
【００３１】
移動端末では、自移動端末が存在するＭＢＳＦＮエリアの複数のセルからマルチセル送信されるＰＭＣＨを受信し、ＭＢＳＦＮエリア固有の拡散符号によって逆拡散（Descramble）することにより、他ＭＢＳＦＮエリアからの干渉の影響を除去しながらＭＢＭＳを受信でき、またマルチセル送信によるＳＦＮ利得により受信品質の向上が図れる。一つのセルが複数のＭＢＳＦＮエリアに属するような場合も、移動端末は各々のＭＢＳＦＮエリアのＰＭＣＨを受信し、各々のＭＢＳＦＮエリア固有の拡散符号によって逆拡散することにより、複数のＭＢＭＳサービスを受信することが可能である。また、ある所望のＭＢＳＦＮエリアのＰＭＣＨが時間的に連続でない場合、移動端末は該ＰＭＣＨ以外の時間は受信する必要がないため、該ＰＭＣＨ以外の時間、間欠受信動作が可能となり消費電力を削減可能となる。ＰＭＣＨが時間的に連続であっても、該ＰＭＣＨにマッピングされるサービスが複数存在し、該サービスがＰＭＣＨ上に時間的に多重されている場合は、移動端末は所望のサービスがマッピングされた該ＰＭＣＨ内の時間領域のみ受信すればよく、その他の時間領域は受信する必要がない。従って、該ＰＭＣＨ内のその他の時間、間欠受信動作が可能となり消費電力を削減可能となる。
【００３２】
図１２は、ページング信号をのせた物理マルチキャストチャネル（PMCH）の構成を示す説明図である。図１２に、ページング信号をのせた物理マルチキャストチャネル（PMCH）の構成を示す。図１２（ａ）はページング信号用領域を設けたＰＭＣＨを示す図であり、ＰＭＣＨ上にＭＢＭＳ関連情報とページング信号を含む点が示される。ＭＢＭＳ関連情報とページング信号は、各々がＭＴＣＨ、ＭＣＣＨ内の情報要素として存在しても良いし、各々がマッピングされる物理領域(リソース)が時間的に分割多重されても良い。図２７はＭＢＭＳ関連情報とページング信号をマルチキャスト制御チャネル（MCCH）に情報要素として乗せる場合のマッピング方法を示す説明図である。ＭＢＭＳ関連情報のうちＭＢＭＳ制御情報をページング信号とともに論理チャネルＭＣＣＨ上にのせる。ＭＣＣＨはＭＴＣＨとともにトランスポートチャネルであるマルチキャストチャネル（MCH）にマッピングされ、ＭＣＨは物理チャネルである物理マルチキャストチャネル（PMCH）にマッピングされる。このように、ＭＢＭＳサービスを受信している、あるいはしようとしている移動端末がＭＣＣＨを受信する際にページング信号を受信することが可能となる。
【００３３】
また他の例を説明する。図２８は、論理チャネルＰＣＣＨを論理チャネルＭＴＣＨ、ＭＣＣＨと多重してトランスポートチャネルＭＣＨに載せる場合のマッピング方法を示す説明図である。図２８において、ページング信号は論理チャネルＰＣＣＨにのせられており、ＭＢＭＳ関連情報はＭＴＣＨ、ＭＣＣＨにのせられている。基地局は、ＭＴＣＨのみのＭＢＳＦＮサブフレームと、ＭＣＣＨとＰＣＣＨがマッピングされるＭＢＳＦＮサブフレームとを設けるようにしても良い。さらに、ＭＣＣＨのみのＭＢＳＦＮサブフレームと、ＰＣＣＨのみのＭＢＳＦＮサブフレームとを設けるように制御しても良い。こうすることで、ＭＴＣＨとＭＣＣＨかつＰＣＣＨが、さらにはＭＣＣＨとＰＣＣＨが各々時間的に分割されて送信可能となる。移動端末は、必要な情報のＭＢＳＦＮサブフレームのみ受信すれば良く、必要のない情報のＭＢＳＦＮサブフレームの期間ＤＲＸ動作をすることが可能となる。さらに、ＭＣＣＨとＰＣＣＨののるＭＢＳＦＮサブフレームを時間的に隣接するようにしても良い。基地局は、例えばＭＣＣＨののるＭＢＳＦＮサブフレームの後（もしくは前）に連続してＰＣＣＨののるＭＢＳＦＮサブフレームを構成するようにスケジューリングする。ＭＢＭＳを受信中もしくは受信しようとしている移動端末はＭＣＣＨを受信するため、ＭＣＣＨとＰＣＣＨを連続にしておくことで、ＭＣＣＨ繰返し期間によりＭＣＣＨかつＰＣＣＨの受信タイミングがわかることになる。従って、ＭＢＭＳサービスを受信している、あるいはしようとしている移動端末がＭＣＣＨを受信する際に連続してページング信号を受信することが可能となる。また、ＭＣＣＨとＰＣＣＨの間にＭＴＣＨが入らないためＭＴＣＨを受信していない端末がＤＲＸ動作に移行することなくＰＣＣＨを受信できるようになる。さらに別の例として、図２９にＭＣＨとＰＣＨを用いる方法を示す。図２９は、論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨとＭＣＨとを多重化して物理マルチキャストチャネルに乗せる場合のマッピング方法を示す説明図である。図２９において、ページング信号はＰＣＣＨにのせられており、このＰＣＣＨはトランスポートチャネルＰＣＨにマッピングされている。このＰＣＨはＭＣＨと多重されてＰＭＣＨにマッピングされる。こうすることで、基地局は、ＰＣＨとＭＣＨを時間的に分割して送信可能となり、さらには、エンコーディングを別々に行うことが可能となる。従って、移動端末においては、受信時にデコードを別々に行うことが可能となる。
【００３４】
あるＭＢＳＦＮエリア内の全てのセルは、該ＭＢＳＦＮエリアに対応するＭＣＣＨをＰＭＣＨにのせてＭＣＣＨ繰り返し期間（MCCH repetition period）で周期的にマルチセル送信する。該ＭＢＳＦＮエリア内セルからマルチセル送信されるＭＢＭＳサービスを受信している、あるいはしようとしている移動端末は、該ＭＣＣＨを定期的に受信し、ＭＢＭＳサービスの内容やフレーム構成等を受信することによって、ＭＢＭＳサービスを受信可能とする。従って、図２７で開示したようにページング信号を該ＭＣＣＨに含ませることによって、ＭＢＭＳサービスを受信している、あるいはしようとしている移動端末がＭＣＣＨを受信する際にページング信号を受信可能とすることができる。これにより、移動端末はＭＣＣＨを受信する以外のタイミングで別途ページングを受信する必要がなくなるため、ＭＢＭＳサービスの受信を中断することなくページングを受信可能となる。また、ＭＣＣＨを受信していない時間、ＭＢＭＳサービスの受信を行っていない持間は間欠受信動作することができ、移動端末の消費電力の削減が図ることができる。
【００３５】
図２８で開示したマッピング方法の場合は、ＭＣＣＨとＰＣＣＨが同じＭＢＳＦＮサブフレームに構成されるようにしても良いし、ＭＣＣＨののるＭＢＳＦＮサブフレームとページング信号ののるＭＢＳＦＮサブフレームを時間的に分割し、さらに隣接するようにしておいても良い。本発明の特徴として「ＭＣＣＨを見た時にＰＣＣＨもみれるようにする」がある。従って、ＭＣＣＨとＰＣＣＨが同じＭＢＳＦＮサブフレームにのる場合はそのサブフレームを受信すれば良いが、ＭＣＣＨののるＭＢＳＦＮサブフレームとＰＣＣＨののるサブフレームを時分割した場合は隣接させておくことが好ましい。また、図２９で開示したマッピング方法の場合は、ＭＣＣＨののるＭＢＳＦＮサブフレームとページング信号ののるＭＢＳＦＮサブフレームを時間的に隣接するようにしておけば良い。基地局は、例えばＭＣＣＨののるＭＢＳＦＮサブフレームの後（もしくは前）に連続してＰＣＣＨののるＭＢＳＦＮサブフレームを構成するようにスケジューリングする。このような構成にすることで、ＭＢＭＳサービスを受信している、あるいはしようとしている移動端末がＭＣＣＨを受信する際にページング信号を連続して受信可能とすることができる。これにより、移動端末はＭＣＣＨ及びＰＣＣＨののるサブフレームを受信する以外のタイミングで別途ページング信号を受信する必要がなくなるため、ＭＢＭＳサービスの受信を中断することなくページング信号を受信可能となる。また、ＭＣＣＨを受信していない時間、ＭＢＭＳサービスの受信を行っていない持間は間欠受信動作することができ、移動端末の消費電力の削減を図ることができる。
【００３６】
図１２(ｂ)に、ＭＢＭＳ制御情報が変更されたかどうかを示すインジケータ、ページング信号が送信されたかどうかを示すインジケータを設けた構成を開示する。これらのインジケータはいずれかが設けられていても良いし、両方が設けられていても良い。ＭＢＭＳ制御情報が変更されたかどうかを示すインジケータを「ＭＢＭＳ関連情報の変更有無インジケータ」とし、ページング信号が送信されたかどうかを示すインジケータを「ページング信号有無インジケータ」とする。インジケータがマッピングされる物理領域はＰＭＣＨが送信されるＭＢＳＦＮサブフレームに設けられても良いし、また、ＰＭＣＨが送信されるＭＢＳＦＮサブフレームと時間的に隣接する物理領域に設けられても良い。こうすることにより、移動端末はインジケータ受信後ただちにＰＭＣＨに乗るＭＣＣＨやページング信号を受信しデコード可能となる。例えば、インジケータとして１ビットの情報とする。各インジケータはＭＢＳＦＮエリア固有の拡散コード等が乗じられ、あらかじめ決められた物理領域にマッピングされる。別の方法として例えば、各インジケータはＭＢＳＦＮエリア固有のシーケンスからなり、予め決められた物理領域にマッピングされても良い。移動端末に着信がかかった場合、ページング信号有無インジケータを“1”にセットし、着信がない場合はページング信号有無インジケータを“0”にセットする。また、例えば、ＭＢＳＦＮエリア内で送信されるＭＢＭＳサービスの内容が変更されるなどしてＭＣＣＨにのるＭＢＭＳ制御情報が変更された場合、ＭＢＭＳ関連情報の変更有無インジケータを“1”にセットする。ＭＢＭＳ関連情報の変更が可能な周期(MBMS modification periodとする)を決めておき、該周期内で変更有無インジケータ“1”を繰り返し送信する。該周期（MBMS modification period）、スタートタイミング(SFN、スターティングポイント)等はあらかじめ決められていても良いし、ユニキャストサービスでのサービングセルから、もしくはＭＢＭＳ専用セルから報知情報で通知されても良い。該周期経過した後に更にＭＢＭＳ関連情報の変更がない場合は、ＭＢＭＳ関連情報の変更有無インジケータを“0”にセットする。
【００３７】
移動端末は、所望のＭＢＳＦＮエリアのＰＭＣＨがマルチセル送信されるＭＢＳＦＮサブフレームもしくは隣接するＭＢＳＦＮサブフレーム内のインジケータを受信し逆拡散等を行い、インジケータが１か０かを判定することで、ＭＣＣＨ内に存在するＭＢＭＳ制御情報に変更が生じたかどうかや、ページング信号が存在するかどうかを判断することが可能となる。このようにインジケータを設けることで、ＭＢＭＳ制御情報に変更が生じない場合や、ページング信号が存在しない場合は、移動端末はＰＭＣＨ全部の情報を受信または／かつデコードする必要がなくなる。このため、移動端末の受信電力の削減を図ることが可能となる。ＭＢＭＳ制御情報が変更されたかどうかを示すＭＢＭＳ関連情報変更有無インジケータをマッピングする物理領域を、ＭＢＭＳ制御情報がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭ（Orthogonal Frequency Division Multiplexing）シンボルとしても良い。これにより、移動端末は、最初のＯＦＤＭシンボルを受信することで、ＭＢＭＳ制御情報に変更が生じたかどうかを判断することが可能となる。
【００３８】
また、ページング信号が存在するかどうかを示すページング信号有無インジケータをマッピングする物理領域を、ページング信号がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ページング信号が存在するかどうかを判断することが可能となる。各インジケータを上記のような物理領域にマッピングすることで、ＭＢＭＳ制御信号変更無しの場合、ページング情報が存在しない場合、各々その後のＯＦＤＭシンボルを受信または／かつデコードする必要がなくなり、さらなる移動端末の受信電力の削減をはかることが可能となる。また、最初のＭＢＳＦＮサブフレームや先頭のＯＦＤＭシンボルで早期に判断できるので、ＭＢＭＳ制御情報をただちに受信することができたり、または、ページング信号をただちに受信することができたりするため、移動端末での制御遅延を低減することが可能となる。インジケータとして、ＭＢＭＳ関連情報の変更有無インジケータとページング信号有無インジケータを同じ物理領域にマッピングしても良いし、各々異なる物理領域にマッピングしても良い。同じ物理領域にマッピングする場合は、各インジケータのオア(or)演算をとれば良い。これにより移動端末は受信するインジケータがひとつですむため、受信回路構成を間単にできる効果が得られる。各々異なる物理領域にマッピングする場合は、これにより、移動端末は、必要なインジケータのみ受信しておけば良く、他のインジケータを受信する必要はなくなる。したがって、移動端末の受信電力のさらなる削減や、必要な情報の受信遅延のさらなる低減が図ることができる。例えば、ＭＢＭＳサービスを受信しているが、ページング信号を受信しないように設定している移動端末では、ＭＢＭＳ関連情報の変更有無インジケータのみ受信すればよく、ページング信号有無インジケータを受信する必要をなくすことができる。各々のインジケータの繰返し周期は同じでも良いし、異なっていても良い。各々のインジケータの繰返し周期はＭＣＣＨの繰返し周期と同じでも良いし、異なっていても良い。例えばＭＢＭＳ関連情報の変更有無インジケータを何回かに１回ＭＣＣＨののるＰＭＣＨに設けても良い。
【００３９】
インジケータの繰り返し周期は、各々、ページング信号有無インジケータ繰り返し期間（Repetition period）、ＭＢＭＳ関連変更有無インジケータ繰り返し期間（Repetition period）とする。インジケータの存在するＭＢＳＦＮサブフレームのスタートタイミング(SFN、スターティングポイント)、サブフレームナンバ、各々のインジケータの繰り返し周期等はユニキャストサービスのサービングセルの報知情報で通知されても良いし、ＭＢＭＳ専用セルの報知情報で通知されても良いし、あらかじめ決められていても良い。ＭＢＭＳ関連情報の変更有無インジケータ専用のチャネルを、例えばＭＩＣＨ(MBMS Indicating CHannel)としても良く、さらには、ＭＩＣＨ内にページング信号有無インジケータを構成するようにしても良い。ページング信号有無インジケータの繰り返し周期はＭＩＣＨの繰り返し周期（MICH Repitition period）と同じでも良いし異なっていても良い。インジケータの通知に関しては先に記載した同様の方法で行うことができる。これにより、各々のインジケータが送信される時間がＭＣＣＨが送信される時間に限定されず、システムにおいて柔軟に設計することが可能となる。
【００４０】
ページング信号をＰＭＣＨに含める場合、着信がかかった移動端末の数が膨大になった場合、自移動端末の宛てのページング信号を検出するのに時間がかかりすぎてしまうという問題が生じる。また、ページング信号ののる所定の物理領域に、着信がかかった全ての移動端末のページング信号をマッピングする領域が確保できないという問題が生じる。これらの問題を解決するため、ページンググループ化する方法を開示する。図１２(ｃ)に、ページンググループ化の方法について示す。全移動端末をＫ個のグループに分け、各グループ毎にページング信号有無インジケータを設ける。ページング信号有無インジケータ用の物理領域をＫ個に分割し、分割した各々の物理領域に各グループのページング信号有無インジケータをマッピングする。ここで、Ｋは１から全移動端末数の値までをとりうる。ある移動端末に着信がかかった場合、該移動端末が属するグループのページング信号有無インジケータを“１”にセットする。あるグループに属する全ての移動端末に着信がない場合は該グループのページング信号有無インジケータを“０”にセットする。ページング信号有無インジケータは移動端末での所望の受信誤り率を満足するためにリピテーション等が行われても良い。ページング信号をマッピングする物理領域もＫ個に分割し、上記Ｋ個のグループに対応するようにしておく。ページング信号として、移動端末毎の識別子（識別番号、識別コード）であっても良い。Ｋ個に分割されたひとつの物理領域は、移動端末１台が必要とするページング信号データが収まる物理領域を、グループ内の移動端末数分加算した物理領域とする。グループ内の移動端末数はグループ全てで同じで合っても良いし、グループ毎に異なっていても良い。グループ内の移動端末数は、例えば、同時に着信が発生する移動端末数の平均値とする方法がある。また、ひとつのＯＦＤＭシンボルに割当て可能な移動端末台数とし、各ＯＦＤＭシンボルを各グループに対応させる方法としても良い。ある移動端末に着信がかかった場合、該移動端末が属するグループのページング信号有無インジケータを“１”にセットし、該グループに対応したページング信号有無インジケータ用物理領域にマッピングする。それとともに、着信がかかった移動端末向けのページング信号を、該移動端末が属するグループに対応するページング信号の物理領域にマッピングする。ページング信号の物理領域へのマッピングは、移動端末毎に該移動端末固有の識別コードを乗じる。ページング信号が移動端末毎の識別子である場合は上記移動端末固有の識別コードを乗じる制御を省略できる。
【００４１】
移動端末は、自移動端末が属するグループのページング信号有無インジケータを受信することで、自移動端末が属するグループに着信がかかっているかどうか判定する。着信がかかっていると判定した場合、自移動端末が属するグループに対応づけられたページング信号がマッピングされる物理領域を受信し復号化（Decode）する。復号化処理後、移動端末固有の識別コードとの相関演算を行うことによりブラインド検出を行い、自移動端末向けのページング信号を特定することで、自移動端末への着信有りと判定することが可能となる。自移動端末向けのページング信号を検出しなかった場合は、自移動端末への着信なしと判定する。移動端末をＫ個のグループにグルーピングすることで、移動端末は、ページング信号用領域全てを受信する必要がなくなり、必要な領域のみ、すなわち自移動端末が属するグループが対応する物理領域のみ受信すればよくなるため、移動端末でのページング信号検出時間の短縮が図れ、さらには時移動端末が属さないグループの対応する物理領域を受信する必要がなくなるため移動端末の受信電力の削減が図ることができる。さらには、グループ毎に対応したページング信号有無インジケータを用いることで、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。
【００４２】
上記実施の形態では、ページング信号をマッピングする、Ｋ個に分割されたひとつの物理領域は、移動端末１台が必要とするページング信号データが収まる物理領域を、グループ内の移動端末数分加算した物理領域としていた。しかし、移動端末数が多大になると、必要とする物理領域が多大になり、ＭＢＭＳサービスを送信するためのオーバーヘッドが多大になるためＭＢＭＳサービスデータの送信速度が低下する。これを防ぐため、移動端末向けのページング信号に移動端末毎に該移動端末固有の識別コードを乗じる。これにより、移動端末は自移動端末宛ての情報かどうかを該移動端末固有の識別コードを用いてブラインド検出することが可能となるため、各移動端末毎のページング信号をマッピングする物理領域をあらかじめ固定しておく必要がなくなる。したがって、全移動端末分のページング信号用の物理領域を必要とせず、実際に着信が生じると予測される移動端末数分の領域さえあれば良い。例として、グループ内の移動端末数を、同時に着信が発生する移動端末数の平均値とする方法がある。この方法により、限られた物理リソースを有効に利用することが可能となる。また、上記の方法とすることで、たとえ予測以上に着信する移動端末数が多くなった場合でも、新しい着信の移動端末へのページング信号を次のＰＭＣＨ上で送信することが可能となる等、基地局でのスケジューリングにより柔軟に対応することが可能となる。
【００４３】
全移動端末数が少ない場合、Ｋの値を全移動端末数として、ページング信号有無インジケータのみ送信しても良い。この場合、ページング関連の物理領域を確保する必要がなく、ページング信号有無インジケータ用の物理領域を全移動端末数分確保しておけばよい。このため、無線リソースの効率化が図れる。また、この場合、移動端末毎に対応するページング信号有無インジケータ用の物理領域が存在することになる。このため、移動端末においては、自移動端末に対応したページング信号有無インジケータ用の物理領域を受信してデコードするだけで、ページング信号用領域を受信せずに、着信の有無が判定でき、移動端末のページング動作での制御遅延が低減できる。
【００４４】
図１３は、ページング信号を物理マルチキャストチャネル上の領域にマッピングする方法を示す説明図である。図１３において、ページンググループｎに属する移動端末のうち、音声通話などの着信が発生した移動端末ｎ１、ｎ２などに対するページング信号を、該グループｎに対する物理領域にマッピングする。基地局は、各々の移動端末のページング信号に該移動端末固有の識別コード(番号、シーケンス)を乗じ、ＣＲＣ（Cyclic Redundancy Check）付加を行い、符号化（Encode）、レートマッチング等の処理を行う。これら一連の処理を行った結果を、マッピングする物理領域の大きさに対応した制御情報要素（CCE：Control Channel Element）単位に割り当て、着信が発生した各々の移動端末分だけ連結する。連結した結果を、ＭＢＳＦＮエリア固有の拡散符号（Scrambling code）による拡散処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“１”をセットし、ページング信号有無インジケータのページンググループｎの物理領域にマッピングする。
【００４５】
ページンググループｎに対応する物理領域は、あらかじめ決められていても良いし、報知情報としてユニキャスト側サービングセルもしくはＭＢＭＳ専用セルから通知されても良い。移動端末では、自移動端末が属するページンググループのページング信号有無インジケータを受信し、“１”であれば、該ページンググループに対応するページング信号用物理領域を受信する。ページング信号用物理領域を受信し、復調、ＭＢＳＦＮエリア固有の拡散符号による逆拡散（Descramble）を行い、その結果を制御情報要素単位に分割する。分割した制御情報要素単位毎に復号化（Decode）等の処理を行い、自移動端末固有の識別番号により相関演算を行うことによって、自移動端末向けのページング信号をブラインド検出する。ある閾値より相関演算結果が大きい場合は自移動端末向けのページングが有ると判定し、ページング信号によりページング着信動作に入る。ある閾値以下の場合は自端末向けのページングはなしと判定し、ＭＢＭＳ関連情報の受信に移行する、またはＭＢＭＳ関連情報の受信の必要がなければ間欠受信動作に移行する。自移動端末がどのグループに属するかは、あらかじめ決められた計算方法によって導出されても良いし、上位レイヤから、報知情報としてユニキャストサービスのサービングセルもしくはＭＢＭＳ専用セルから通知されても良い。
【００４６】
図１４は、ページング信号をＰＭＣＨ上のページング信号ののる物理領域にマッピングする方法の別の例を示す。ページンググループｎに属する移動端末のうち、着信がかかっている移動端末のｎ１、ｎ２などに対してページング信号を、該グループｎに対する物理領域にマッピングする。基地局は、各々の移動端末のページング信号にＣＲＣ付加を行い、エンコード、レートマッチング等の処理を行う。それら処理を行った結果に、該移動端末固有の識別コード(番号)を乗じる。該移動端末固有の識別コードを直交性を有す拡散コードとして、移動端末間で直交性が得られるようにする。基地局は、該拡散コードを乗じた結果を、着信がかかっている各々の移動端末分多重する。多重した結果を、ＭＢＳＦＮエリア固有の拡散符号による拡散処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“１”をセットし、ページング信号有無インジケータのページンググループｎの物理領域にマッピングする。ページンググループｎに対応する物理領域は、あらかじめ決められていても良いし、報知情報としてユニキャスト側サービングセルもしくはMBMS専用セルから通知されても良い。移動端末では、自移動端末が属するページンググループのページング信号有無インジケータを受信し、“１”であれば、該ページンググループに対応するページング信号用物理領域を受信する。ページング信号用物理領域を受信し、復調、ＭＢＳＦＮエリア固有の拡散符号による逆拡散を行う。その結果を自移動端末固有の識別番号により相関演算を行うことによって、自移動端末向けのページング信号をブラインド検出する。ある閾値より相関演算結果が大きい場合は自移動端末向けのページングが有ると判定し、デコードを行った後のページング信号によりページング着信動作に入る。ある閾値以下の場合は自端末向けのページングはなしと判定し、ＭＢＭＳ関連情報の受信に移行する、またはＭＢＭＳ関連情報の受信の必要がなければ間欠受信動作に移行する。自移動端末がどのグループに属するかは、あらかじめ決められた計算方法によって導出されても良いし、上位レイヤから、報知情報としてユニキャストサービスのサービングセルもしくはＭＢＭＳ専用セルから通知されても良い。なお、図１３、１４で記載したページング信号は、ページング信号のマッピングされたトランスポートチャネルとしても良い。これは以降の実施例においても適用できる。移動端末がページング受信時に必要となるページング関連の情報であるページング信号ののった情報であれば良い。
【００４７】
ページング信号をＰＭＣＨのページング信号ののる物理領域にマッピングするいくつかの方法を開示したが、該ページング信号ののる物理領域へのマッピングは、任意のあらかじめ決められた領域でも良いし、ローカライズド(周波数軸上で連続する物理領域)にマッピングしても良いし、ディストリビューテッド(周波数軸上で分散する物理領域)にマッピングしても良い。
【００４８】
上記の例ではページング信号に移動端末固有の識別番号や拡散コードを乗じる構成とした。このような構成とすることで、ページング信号の情報量が各移動端末で同じ場合、符号化（Encode）、レートマッチング等の処理を各移動端末間で同じにすることで、割り当てる制御情報要素単位の領域の大きさを同じにすることが可能となる。従って、移動端末においてブラインド検出する制御情報要素単位の領域の大きさがひとつに限られるため、ブラインド検出の回数が削減でき、検出時間の短縮も図れる。従って、移動端末の回路構成の削減、消費電力の削減、制御遅延の低減を図れる効果が得られる。
【００４９】
上記のように、ページング信号に移動端末固有の識別番号や拡散コードを乗じ、ページンググループ毎にＰＭＣＨのページング信号ののる物理領域にマッピングすることで、移動端末は、ページング信号用領域全てを受信する必要がなくなり、必要な領域のみ、すなわち自移動端末が属するグループが対応する物理領域のみ受信すればよくなるため、移動端末でのページング信号検出時間の短縮が図れ、さらには時移動端末が属さないグループの対応する物理領域を受信する必要がなくなるため移動端末の受信電力の削減が図ることができる。さらには、グループ毎に対応したページング信号有無インジケータを用いることができ、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。さらには、移動端末は自移動端末宛ての情報かどうかを該移動端末固有の識別コードや拡散コードを用いてブラインド検出することが可能となるため、各移動端末毎のページング信号をマッピングする物理領域をあらかじめ固定しておく必要がなくなり、全移動端末分のページング信号用の物理領域を必要とせず、実際に着信が生じると予測される移動端末数分の領域さえあれば良いため、限られた物理リソースを有効に利用することが可能となる。さらには、たとえ予測以上に着信する移動端末数が多くなった場合でも、新しい着信の移動端末へのページング信号を次のＭＣＣＨののるＰＭＣＨ上で送信することが可能となる等、基地局でのスケジューリングにより柔軟に対応することが可能となる。
【００５０】
上記の例では基地局においてページング信号に移動端末固有の識別番号を乗じることとした。しかし、ページング信号ではなくＣＲＣに移動端末固有の識別番号を乗じる方法を用いることも可能である。ＣＲＣに移動端末固有の識別番号を乗じる方法は、各移動端末のページング信号の情報量が異なる場合に有効である。
【００５１】
本実施の形態１で開示したＰＭＣＨ上にページング信号をのせる方法とすることで、移動体通信システムとして、ＭＢＭＳ専用セルからＭＢＭＳサービスを受信しているもしくは受信しようとしている全移動端末のページング信号を送信できるようになり、該移動端末がＭＢＭＳ専用セルからページング信号を受信することを可能とする。
【００５２】
以下、本実施の形態１の変形例を説明する。実施の形態１では、ＭＢＭＳ専用セルからページング信号を受信するため、ＭＢＳＦＮエリア毎のＰＭＣＨ上にページング信号をのせる方法を開示した。ＰＭＣＨの構成として、ＭＢＳＦＮエリア毎に時分割多重(TDM)、ＭＢＳＦＮエリア毎にコード分割多重(CDM)とする方法を開示した。以下説明する第一の変形例では、ＰＭＣＨの構成として、ＭＢＳＦＮエリア毎に時分割多重(TDM)とコード分割多重(CDM)とを混在させる方法を開示する。
【００５３】
図１５は、ＭＢＳＦＮエリア毎に設けられたＰＭＣＨの構成を示す説明図である。図１５において、ＭＢＳＦＮエリア毎に時分割多重(TDM)とコード分割多重（CDM）がともに用いられている。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃１、セル＃２、セル＃３のセルはＭＢＳＦＮエリア４内のセルでもある。ＭＢＳＦＮエリア１、２、３のＰＭＣＨはコード分割多重され、ＭＢＳＦＮエリア１、２、３のＰＭＣＨとＭＢＳＦＮエリア４のＰＭＣＨは時分割多重される。セル＃ｎ１のセルはＭＢＳＦＮエリア１に属するため、ＭＢＳＦＮエリア１に対応したＰＭＣＨがある時間に送信される。ＰＭＣＨはＭＢＳＦＮエリア内でマルチセル送信されるため、ＭＢＳＦＮサブフレーム上で送信される。ＭＢＳＦＮサブフレームが割当てられるＭＢＳＦＮフレームの集合を「ＭＢＳＦＮフレームクラスタ」（MBSFN frame cluster）とする。ＭＢＭＳ専用セルではＭＢＳＦＮフレーム内全てのサブフレームをマルチセル送信に用いられるＭＢＳＦＮサブフレームとしても良い。あるＭＢＳＦＮエリアに対応したＭＢＳＦＮフレームクラスタが繰り返される周期を「ＭＢＳＦＮフレームクラスタ繰り返し周期」（MBSFN frame cluster Repetition period）とする。ＰＭＣＨにはＭＢＭＳ用のトランスポートチャネルのＭＣＨがマッピングされ、ＭＣＨにはＭＢＭＳ用制御情報のロジカルチャネルＭＣＣＨ、ＭＢＭＳ用データのロジカルチャネルＭＴＣＨのいずれかあるいは両方がマッピングされる。
【００５４】
ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。各ＭＢＳＦＮフレームクラスタ上にＭＣＣＨがマッピングされても良いし、ＭＴＣＨのみでも良い。ＭＴＣＨのみが存在する場合、ＭＣＣＨの繰返し周期はＭＢＳＦＮフレームクラスタの繰り返し周期と異なる。また、ＭＢＳＦＮフレームクラスタ上に複数のＭＣＣＨがマッピングされる場合も存在する。ＭＣＣＨの繰り返し周期を「ＭＣＣＨ繰り返し期間」(MCCH Repetition period)とする。図１５で、ＭＣＣＨ１はＭＢＳＦＮエリア１用のＭＢＭＳ制御情報で、ＭＴＣＨ１はＭＢＳＦＮエリア１用のＭＢＭＳデータである。同様に、ＭＣＣＨ２はＭＢＳＦＮエリア２用のＭＢＭＳ制御情報で、ＭＴＣＨ２はＭＢＳＦＮエリア２用のＭＢＭＳデータ、ＭＣＣＨ３はＭＢＳＦＮエリア３用のＭＢＭＳ制御情報で、ＭＴＣＨ３はＭＢＳＦＮエリア３用のＭＢＭＳデータである。セル＃ｎ１とセル＃ｎ２とセル＃ｎ３のＰＭＣＨは符合分割多重され同じタイミングで送信される。セル＃ｎ１（セル＃ｎ２、セル＃ｎ３）のセルはＭＢＳＦＮエリア１（２、３）とＭＢＳＦＮエリア４に属するため、ＭＢＳＦＮエリア１（２、３）のＰＭＣＨとＭＢＳＦＮエリア４のＰＭＣＨは時分割多重される。ＭＢＳＦＮエリア４のＰＭＣＨはＭＢＳＦＮエリア４でマルチセル送信されるため、ＰＭＣＨの送信タイミングはセル＃ｎ１、＃ｎ２、＃ｎ３で全て同じである。このように、ＭＢＳＦＮエリア毎のＰＭＣＨを、時分割多重とコード分割多重を混在させることで、例えば、ＭＢＳＦＮエリア間で重複するＭＢＳＦＮエリアには時分割多重を、重複しないＭＢＳＦＮエリアにはコード分割多重を用いることが可能となる。従って、時間分割多重のみの場合に比べてコード分割多重を用いているため無線リソースの効率化が図ることができる。さらには、コード分割多重のみの場合に比べ、重複するＭＢＳＦＮエリア間での相互干渉を低減することが可能となり、移動端末でのＭＢＭＳデータの受信誤りの低減が図ることができる。
【００５５】
次に、移動端末がＭＢＭＳ専用セルからページングを受信するための各ＰＭＣＨの構成について述べる。ＭＢＳＦＮエリア毎に時分割多重とコード分割多重とが混在している。従って、各セルから送信されるＭＢＳＦＮエリア毎のＰＭＣＨも複数存在することになる。このように、あるひとつのセルにおいてＭＢＳＦＮエリア毎のＰＭＣＨが複数存在する場合に対応するため、ページング信号を、全てのＭＢＳＦＮエリアに対応するＰＭＣＨ上にのせる構成とする。各々のＭＢＳＦＮエリアのＰＭＣＨには、図１２で示したようなページング信号を含める方法が適用できる。このような構成とすることで、複数のＭＢＳＦＮエリアのＭＢＭＳサービスを受信可能なエリアにいる移動端末は、ＭＢＭＳサービスを受信しているもしくは受信しようとしているいずれかひとつのＭＢＳＦＮエリアのＭＣＣＨを受信することで、該ＭＣＣＨを受信する際にページングを受信することが可能となる。移動端末は、受信しているＭＢＭＳサービスと異なるＭＢＳＦＮエリアのＭＣＣＨを受信する必要がなくなり、間欠受信が可能となるため消費電力の削減が図れる。別の方法として、一つのＭＢＳＦＮエリアのＰＭＣＨ上にのせる構成を述べる。例えば、あるひとつのセルが属する最も小さいＭＢＳＦＮエリアのＰＭＣＨにのみＭＣＣＨ(P-MCCH)をマッピングすることとし、その他のＭＢＳＦＮエリアのＰＭＣＨにはＭＣＣＨをマッピングしない構成とし、最も小さいＭＢＳＦＮエリアのＰＭＣＨには、図１２で示したようなページング信号をのせる方法を適用する。最も小さいＭＢＳＦＮエリアのＰＭＣＨにマッピングされたＭＣＣＨ(P-MCCH)に、他のＭＢＳＦＮエリアのＭＢＭＳ制御情報を含ませておく。
【００５６】
このような構成とすることで、例えば、移動端末が複数のどのＭＢＳＦＮエリアのＭＢＭＳサービスを受信していたとしても、最も小さいＭＢＳＦＮエリアのＭＣＣＨ(P-MCCH)を受信することで、該ＭＣＣＨ(P-MCCH)を受信する際にページングを受信することが可能となる。さらに、移動端末は、受信するＭＢＭＳサービスの変更に伴ってページング受信周期、ここではＭＣＣＨ繰り返し期間（MCCH repetition period）を変更する必要がなく、制御を簡易にすることが可能となる。さらに、その他のＭＢＳＦＮエリアのＰＭＣＨにはＭＴＣＨのみマッピングすることが可能となるため、システムとして無線リソースの効率化が図ることができるという効果が得られる。また、別の方法として、最も小さいＭＢＳＦＮエリアのＰＭＣＨに他のＭＢＳＦＮエリアに対応するＭＣＣＨもマッピングするようにしておいても良い。この場合も該ＰＭＣＨには図１２で示したようなページング信号をのせる方法を適用することができる。これにより、同様の効果が得られるとともに、各ＭＣＣＨは時分割して物理領域にマッピングすることが可能となる。従って、移動端末は所望のＭＢＳＦＮエリアのＭＣＣＨを受信し、それ以外のＭＣＣＨが送信される物理領域は間欠受信することが可能となる。さらに別の方法として、一つのＭＢＳＦＮエリアのＰＭＣＨ上にのせる構成を述べる。例えば、あるひとつのセルが属するＭＢＳＦＮエリアのＰＭＣＨに主ＭＣＣＨ(P-MCCH)をマッピングすることとし、その他のＭＢＳＦＮエリアのＰＭＣＨには副ＭＣＣＨ(S-MCCH)をマッピングする構成とし、Ｐ―ＭＣＣＨののるＰＭＣＨには、図１２で示したようなページング信号を含める方法を適用する。このような構成とすることで、例えば、移動端末が複数のどのＭＢＳＦＮエリアのＭＢＭＳサービスを受信していたとしても、Ｐ―ＭＣＣＨを受信することで、該Ｐ―ＭＣＣＨを受信する際にページングを受信することが可能となる。さらに、移動端末は、受信するＭＢＭＳサービスの変更に伴ってページング受信周期、ここではＭＣＣＨ繰り返し期間（MCCH repetition period）を変更する必要がなく、制御を簡易にすることが可能となる。ページング信号をＰＭＣＨ上のページング信号ののる物理領域へマッピングする方法については、図１３、図１４で開示した方法が適用できる。
【００５７】
上記実施の形態１および変形例では、ＭＢＳＦＮエリア内のセルは複数存在する場合を示した。しかし、本発明はＭＢＳＦＮエリア内のセルが一つのみであっても適用可能である。該一つのセルにおいて、図１２で開示したＰＭＣＨの構成とし、図１３で開示したページング信号をＰＭＣＨ上のページング信号ののる物理領域へマッピングする方法を適用することが可能である。一つのセルのみの場合、ＰＭＣＨを用いる送信といえども通常のマルチセル送信に伴うＳＦＮ利得は得られないが、ＭＢＭＳサービスをある狭い地区に限定でき、いわゆるスポット的なサービスを提供することが可能となる。さらに、ＭＢＳＦＮエリア内のセルが一つのみで、該一つのセルにおいて、該ＭＢＳＦＮエリアに対応するＭＢＭＳサービスのデータが送信されず、MBMS制御情報のみ送信されていても良い。この場合、ＰＭＣＨ上にＭＴＣＨがマッピングされず、ＭＣＣＨのみマッピングされる。該ＭＣＣＨに、該一つのセルが属する他のＭＢＳＦＮエリアのＭＢＭＳ制御情報（MCCH）が含まれても良い。これにより、他のＭＢＳＦＮエリアのＰＭＣＨに各々のＭＣＣＨをマッピングする必要がなくなるため、無線リソースの効率化が図れる。さらに、移動端末は、該ＭＢＳＦＮエリアに対応するＭＣＣＨのみ受信することで、他のＰＭＣＨを受信することなく、受信可能なひとつまたは複数のＭＢＳＦＮエリアの全てのＭＣＣＨを受信することが可能となるため、ＭＢＭＳサービス受信時の制御遅延時間が削減できる。さらには、他のＭＢＳＦＮエリアのＭＢＭＳサービス情報を受信する必要のない場合は、間欠受信動作が可能になり、受信電力の削減が図ることができる。
【００５８】
実施の形態２．
移動端末が 、ユニキャストサービスがサポートされていないＭＢＭＳ専用セルからページングを受信するため、実施の形態１では、ＭＢＳＦＮ(Multimedia Broadcast multicast service Single Frequency Network)エリア毎の物理マルチキャストチャネル（PMCH）上にページング信号をのせる方法を開示した。本実施の形態２では、ＭＢＳＦＮエリア内でマルチセル送信されるページング専用の物理チャネルを設け、該物理チャネル上にページング信号をのせる方法を開示する。
【００５９】
図１６は、ＭＢＳＦＮエリア内でマルチセル送信されるページング専用の物理チャネルの構成を示す説明図である。あるセルにおいて、該セルが属するＭＢＳＦＮエリアに対応したＭＢＳＦＮサブフレームの一部をページング専用の物理チャネル(Dedicated Physical Channel: DPCH)とし、ＤＰＣＨをサブフレーム毎に設ける構成とした。実施の形態１でも示したが、ＭＢＭＳ専用チャネルではユニキャストサービスがサポートされないため、ＭＢＳＦＮフレームの全てのサブフレームをＭＢＳＦＮサブフレームとしても良い。一例として、図３０にページング信号をページング専用の物理チャネルにマッピングする方法を示す。図３０は、ページング信号を含む論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨをページング専用の物理チャネルに乗せる場合のマッピング方法を示す説明図である。ページング信号がのる論理チャネルＰＣＣＨはトランスポートチャネルＰＣＨにマッピングされ、ページング専用の物理チャネルであるＤＰＣＨにマッピングされる。一方、従来どおりＭＢＭＳ関連情報は論理チャネルＭＴＣＨとＭＣＣＨにのり、それらはトランスポートチャネルＭＣＨにマッピングされ、物理チャネルＰＭＣＨにマッピングされる。ＤＰＣＨはＭＢＳＦＮエリア内でマルチセル送信される構成とし、ＤＰＣＨとＰＭＣＨが同じＭＢＳＦＮサブフレームに多重されて送信される。
【００６０】
ＭＢＳＦＮエリア毎のＰＭＣＨ構成が、例えば図１１に示した符号分割多重されている場合、連続したＭＢＳＦＮサブフレームでＰＭＣＨが送信される。この場合、ＤＰＣＨは時間軸上全サブフレームに設けることが可能となる。従って、実施の形態１に比べて、ページング信号が送信可能となる回数が増大する。このようにＭＢＳＦＮエリア内でマルチセル送信されるＭＢＳＦＮサブフレームの毎サブフレームの一部をページング信号送信用のＤＰＣＨとすることで 、システムとしてページング信号の送信頻度を多くして、ＭＢＭＳ専用セルからのページングを可能とする移動端末の台数を増大させることができる。さらには、ページング可能な移動端末へのページング発生時に、ページング用領域不足を避けることができるため、ページング情報送信遅延時間を短縮することが可能となる。上記例ではＭＢＳＦＮエリア毎のＰＭＣＨ構成が符号分割多重（CDM）の場合について記載したが 、時分割多重（TDM）の場合、あるいは時分割多重と符号分割多重がともに適用される場合でも、あるセルが属するひとつまたは複数のＭＢＳＦＮエリアに対応したＰＭＣＨが送信される全てのＭＢＳＦＮサブフレームにＤＰＣＨを設ければ良い。これにより、実施の形態１に比べて、ページング信号が送信可能となる回数が増大させることができるため同様の効果を得ることができる。
【００６１】
図１７は、ＭＢＳＦＮサブフレームの構成を示す説明図である。図１７において、ＭＢＳＦＮサブフレーム内でＤＰＣＨとＰＭＣＨが時間分割されて多重されている。ＤＰＣＨにはページング信号がマッピングされ、ＰＭＣＨにはＭＢＭＳ関連情報がマッピングされる。各々がマッピングされる物理チャネルを別にすることで、基地局においてページング信号とＭＢＭＳ関連情報のエンコーディングを別々にすることが可能で、移動機での受信において別々にデコードを行うことが可能となる。また、物理領域を時分割多重とすることが可能で、ＭＢＭＳサービスを受信しておらず、ページング情報のみを受信している移動端末はＰＭＣＨを受信する必要がなく、ＰＭＣＨが送信されている間は間欠受信（Discontinuous Reception）することが可能となり、移動端末の消費電力を削減可能となる。一方、ページング情報を受信する必要の無い移動端末は、ＤＰＣＨを受信する必要がなく、ＤＰＣＨが送信されている間は間欠受信動作を行うことが可能であるため、移動端末の消費電力を削減することが可能となる。ＤＰＣＨは、各ＭＢＳＦＮサブフレームのｋＯＦＤＭシンボル内で送信される。ｋの値は予め決められていても良いし、ＭＢＭＳ専用セルの報知情報で通知しても良い。また、ユニキャストセルの報知情報で通知しても良い。
【００６２】
ＤＰＣＨが送信されるＯＦＤＭシンボル数ｋの値を示すチャネルとしてＰＣＦＩＣＨ（Physical control format indicator channel）をサブフレーム毎に設けても良い。ＰＣＦＩＣＨは各サブフレームの１番目のＯＦＤＭシンボルで送信される。移動端末へのＰＣＦＩＣＨの物理リソースのアロケーション情報の通知は、ＭＢＭＳ専用セルの報知情報で通知しても良いし、ユニキャストセルの報知情報でＭＢＭＳ専用セルの周波数レイヤ情報と関連して通知しても良い。また、あらかじめ決めておいても良い。あらかじめ決めておくことによって通知に必要となる情報量を削減することが可能となる。このようにｋの値をサブフレーム毎にインジケートすることで、サブフレーム毎にｋの値を変更することが可能となり、ダイナミックにＭＢＭＳ情報の送信領域とＤＰＣＨの送信領域を変更することが可能となる。ｋの値は０から１サブフレーム内最大ＯＦＤＭシンボル数までとりうる。例えば、ユニキャストセルのＰＤＣＣＨ（Physical downlink control channel）と同じ１〜３ＯＦＤＭシンボルとしても良い。この場合、ＰＣＦＩＣＨは２ビットとなる。また、例えば、ＭＢＭＳ／ユニキャスト混合セルのＭＢＳＦＮサブフレームにおけるＰＤＣＣＨと同じ１〜２ＯＦＤＭシンボルとしても良い。この場合、ＰＣＦＩＣＨは２ビットまたは１ビットとなる。ユニキャストセルのＰＣＦＩＣＨはセル固有のスクランブリングコードが乗じられるが、本発明では、ＰＣＦＩＣＨもＭＢＳＦＮエリア内でマルチセル送信可能とするためＭＢＳＦＮエリア固有のスクランブリングコードが乗じられる構成とする。上記のような構成とすることで、移動端末はユニキャストセルと同じ方法で復号化(Decode)することが可能となり移動端末の受信回路の簡略化を図ることができる。
【００６３】
ユニキャストセルではページング信号を送信するのにＰＤＳＣＨあるいはＰＤＣＣＨを用いるが、ページング信号に無線割り当て（Resource Allocation）情報を含む必要がある。これは、ページング後の通信のための無線割り当てが必要だからである。ページング後の通信のためのリソースはＰＤＳＣＨを用いて送信する。該ＰＤＳＣＨはサブフレーム内のＰＤＣＣＨを送信するＯＦＤＭシンボル領域を除いた残りのＯＦＤＭシンボル領域で送信される。本発明におけるページング方法では、ページング後の通信はユニキャストセルで行うため、ＤＰＣＨで送信するページング情報として着信の有無を通知するページングインジケータ（Paging Indicator :PI）のみとしても良い。なぜならば、ページング後の通信のための無線割り当て情報を送信する必要がないためである。ページングインジケータのみで移動端末を特定できるようにするには、ある移動端末へのページングインジケータの存在するＭＢＳＦＮフレームやＭＢＳＦＮサブフレームを該移動端末固有の識別番号（ID）から一意に算出できるようにしておけば良い。また別の方法として、基地局でページングインジケータに移動端末固有の識別番号を乗じて、移動端末側で該移動端末固有の識別番号を用いてブラインド検出するようにしても良い。さらに、上記二つの方法を複合させても良い。例えば、移動端末を該移動端末固有の識別番号（ID）によってグルーピングし、該グループへのページングインジケータの存在するＭＢＳＦＮフレームやＭＢＳＦＮサブフレームを該グループに一意に対応するようにしておき、さらに、基地局でページングインジケータに移動端末固有の識別番号を乗じておくようにする。
【００６４】
移動端末側では、該移動端末固有の識別番号から導出した自移動端末が属するグループのページングインジケータがのるＭＢＳＦＮフレームやＭＢＳＦＮサブフレームを受信し、自移動端末固有の識別番号を用いてブラインド検出するようにしても良い。移動端末固有の識別番号から移動端末やグループのページングインジケータの存在するＭＢＳＦＮフレームやＭＢＳＦＮサブフレームの導出方法は予め決められていても良いし、上位レイヤからＭＢＭＳ専用セルの報知情報で通知しても良いし、ユニキャストセルの報知情報で通知しても良い。ページングインジケータの存在するＭＢＳＦＮフレームやＭＢＳＦＮサブフレームは周期的に存在するようにしても良い。無線割り当て情報を送信する必要がないので、少ない情報量でＤＰＣＨを構成することが可能となり、同じサブフレーム内の残りの領域でＭＢＭＳ関連情報を送信することが可能となる。ページングインジケータを図３０に示すようなＰＣＣＨにマッピングするのではなく、直接物理レイヤにおいてＰＤＣＨにマッピングするようにしても良い。また、サブフレーム内全てのＯＦＤＭシンボルでＤＰＣＨを送信することも可能となる。例えば、サブフレーム内のＯＦＤＭシンボル数が最大７シンボルの場合、ＰＣＦＩＣＨを３ビットとしてｋの値を示すようにしておくことで、ｋ＝０から７までの任意のＯＦＤＭシンボルをＤＰＣＨ送信に用いることができる。このように、ＭＢＭＳ情報の送信領域とＤＰＣＨの送信領域をサブフレーム単位で柔軟に変更し、組み合せることが可能となり、無線リソースの効率化を図ることができる。
【００６５】
本発明ではＭＢＭＳ専用セルの場合について述べたが、ＭＢＭＳ／ユニキャスト混合セルの場合は、ユニキャストとＭＢＭＳの両方のサービスが可能であり、従って、ＭＢＭＳ／ユニキャスト混合セルの場合におけるページングでは、ページング後の通信のための無線割り当てを必要とする。しかし、一方、ＭＢＭＳ／ユニキャスト混合セルではＭＢＭＳを実行可能であるので、放送型のＭＢＭＳ用データをＭＣ送信するためのＭＢＳＦＮサブフレームが存在する。ＭＢＳＦＮサブフレームではＰＤＳＣＨがないため、ＭＢＭＳ／ユニキャスト混合セルにおいて、ユニキャストセルでのページング方法を適用した場合、ＭＢＳＦＮサブフレーム内に、個別移動端末宛の無線割り当て情報をマッピングする領域を確保できないという問題が生じる。この場合、あらかじめページングインジケータを送信するサブフレームをＰＤＳＣＨの存在するサブフレームに限定する方法や、ページング信号が送信された後の最初のＰＤＳＣＨが存在するサブフレームのＰＤＣＣＨでアロケーション情報を送信する方法をとることによって、ＭＢＭＳ／ユニキャスト混合セルでのページングを可能とすることができる。
【００６６】
図１８は、ページング信号をページング専用チャネル（DPCH）にマッピングする方法を示す説明図である。図１８は、ページング信号としてページングインジケータ(Paging Indicator: PI)のみについて示す。ページングインジケータは１ないし０の１ビットで表現されるページング情報であり、着信の有無を示す。基地局は、着信がかかっている移動端末に対するページングインジケータに“1”をセットして、ページング専用物理チャネルにマッピングする。基地局は、着信がかかっている各移動端末ｍへのページングインジケータに該移動端末固有の識別番号を乗算する。次に、該乗算結果にＣＲＣ（Cyclic Redundancy Check）付加を行い、符号化（Encode）、レートマッチング、インタリーブ等の符号化（Coding）処理を行う。これら一連の処理を行った結果を、マッピングする物理領域の大きさに対応した制御情報要素単位に割り当て、着信がかかっている各々の移動端末分連結する。連結した結果を、ＭＢＳＦＮエリア固有の拡散コード（Scrambling Code）による拡散処理、変調処理等を行う。変調処理は、ＭＢＳＦＮエリア固有であっても良い。これらの処理を行った結果を、先頭からｋＯＦＤＭシンボル内へマッピングする。その際に、基地局は 、着信がかかっている各々の移動端末分連結した結果をもとに 、必要となるＯＦＤＭシンボル数ｋを導出し 、該kに対応するインジケータにエンコーディング等の処理を行い 、ＰＣＦＩＣＨにマッピングする。これらはＭＢＳＦＮエリア内の全セルにて同一の方法で行われ、ＭＢＳＦＮエリア内でマルチセル送信されることになる。本実施の形態ではＤＰＣＨを送信するＯＦＤＭシンボル数（k）を１とした場合を示す。ＤＰＣＨはサブフレームの１番目のＯＦＤＭシンボルに、ＰＣＦＩＣＨ、リファレンスシンボルとともにマッピングされる。
【００６７】
マルチセル送信された信号を受信している移動端末においては、受信したＰＣＦＩＣＨのデコード結果をもとにページングに使用されるＯＦＤＭシンボル数を判定し、復調処理、逆拡散（Descrambling）処理等を行う。それらの処理後、ある領域毎に分割し、逐次デインタリーブ、復号化（Decoding）、誤り検出、訂正処理等を行い、端末固有の識別番号でブラインド検出を行う。ブラインド検出により自移動端末の識別番号を検出した場合は、ページングがあったと判断できる。ＰＣＦＩＣＨ、リファレンスシンボル等については、例えばあらかじめ決められた方法で物理リソースへのマッピングを行う。ユニキャストセルと同様の方法を用いてもよい。ユニキャストセルと同様の方法を用いることで、基地局の構成や移動端末の受信回路の構成を簡略化することが可能となる。ページング信号がページングインジケータのみの場合のように、各移動端末で同じ情報量の場合、コーディングの結果を割り当てるための制御情報要素単位の大きさを一つにしておいても良い。ページングを受信する全ての移動端末でエンコーディング処理等を同じにすることでエンコーディング後の制御情報要素の大きさを一つにすることができる。これにより、移動端末は自移動端末固有の識別番号をブラインド検出する際、ひとつの大きさの制御情報要素単位毎にデコーディング等の処理を行えばよく、ブラインド検出のための時間を削減することができ、検出速度を高めることが可能となる。また、移動端末固有の識別番号を乗じるかわりに、ページングインジケータとして各移動端末固有のコードとしておいても良く、同等の効果を得ることができる。
【００６８】
図１９は、ページング信号をページング専用チャネル（DPCH）にマッピングする方法を示す説明図である。図１９は、ページング信号としてページングインジケータ(PI)のみについて示す。ページングインジケータは１／０の１ビットで表されたページング情報であり、着信の有無を示す。基地局は、着信がかかっている移動端末に対してページングインジケータに“１”をセットし、ページング専用物理チャネルにマッピングする。基地局は、各々の移動端末のページング信号にＣＲＣ付加を行い、符号化（Encode）、レートマッチング、インタリーブ等の処理を行う。これらの処理を行った結果に、該移動端末固有の識別コード(番号)を乗じる。該移動端末固有の識別コードを直交性を有す拡散コードとして、移動端末間で直交性が得られるようにする。基地局は、該拡散コードを乗じた結果を、着信がかかっている各々の移動端末分多重する。多重した結果をＭＢＳＦＮエリア固有の拡散コード（Scrambling Code）による拡散処理、変調処理等を行う。変調処理は、ＭＢＳＦＮエリア固有であっても良い。これらの処理を行った結果を先頭からｋＯＦＤＭシンボル内へマッピングする。移動端末数が多い場合は複数のグループに分けて、グループ内の移動端末間で直交性が得られるように移動端末固有の識別コードを乗じて移動端末分多重して、ＭＢＳＦＮエリア固有の拡散コードによる拡散処理、変調処理等を行う。これらの処理をグループ毎に行った後、異なるＯＦＤＭシンボルへマッピングするようにしても良い。その際に、基地局は着信がかかっている各々の移動端末多重した結果をもとに、必要となるＯＦＤＭシンボル数ｋを導出し、該ｋに対応するインジケータにエンコーディング等の処理を行い、ＰＣＦＩＣＨにマッピングする。これらはＭＢＳＦＮエリア内の全セルにて同一の方法で行われ、ＭＢＳＦＮエリア内でマルチセル送信されることになる。本実施の形態ではＤＰＣＨを送信するＯＦＤＭシンボル数（ｋ）を１とした場合を示す。ＤＰＣＨはサブフレームの１番目のＯＦＤＭシンボルに、ＰＣＦＩＣＨ、リファレンスシンボル等とともにマッピングされる。マルチセル送信された信号を受信している移動端末においては、受信した物理リソースから、ＰＣＦＩＣＨのデコード結果をもとにページングに使用されるＯＦＤＭシンボル数を判定し復調処理、デスクランブリング処理等を行う。それらの処理後、ある領域毎に分割し、端末固有の識別番号で相関演算を行い、ブラインド検出を行う。ブラインド検出により自移動端末の識別コードを検出した場合は、ページングがあったと判断でき、デインタリーブ、デコーディング、誤り検出、訂正処理等を行いページング信号を受信する。
【００６９】
ページング信号をページング専用チャネル(DPCH)にマッピングするいくつかの方法を開示したが、該ページング専用チャネル領域へのマッピングは、任意のあらかじめ決められた領域でも良いし、ローカライズド(周波数軸上で連続する物理領域)にマッピングしても良いし、ディストリビューテッド(周波数軸上で分散する物理領域)にマッピングしても良い。
【００７０】
本実施の形態は、ＭＢＳＦＮエリア毎のＰＭＣＨ構成が符号分割多重されている場合だけでなく、時分割多重、及び時分割多重と符号分割多重がともに適用される場合であってもかまわない。
【００７１】
移動端末において、自移動端末向けのページング信号がどのタイミングのＭＢＳＦＮフレームもしくはＭＢＳＦＮサブフレームのＤＰＣＨ上にマッピングされるか知る必要があるが、その方法として、あらかじめ決められた計算方法によって導出されても良いし、上位レイヤから、報知情報としてユニキャストサービスのサービングセルもしくはＭＢＭＳ専用セルから通知されても良い。そのタイミングは周期的であっても良い。ある周期にてページング信号が送信されることによって、移動端末は該ページング信号が送信されていない時間は、もしＭＢＭＳサービスを受信しない場合は間欠受信動作することが可能である。従って、移動端末の消費電力の削減を図ることができる。
【００７２】
移動端末は自移動端末宛ての情報かどうかを該移動端末固有の識別コードや拡散コードを用いてブラインド検出することが可能となるため、各移動端末毎のページング信号をマッピングする物理領域をあらかじめ固定しておく必要がなくなり、全移動端末分のページング信号用の物理領域を必要とせず、実際に着信が生じると予測される移動端末数分の領域さえあれば良いため、限られた物理リソースを有効に利用することが可能となる。上記の例では基地局においてページング信号に移動端末固有の識別番号を乗じることとした。しかし、ページング信号ではなくＣＲＣに移動端末固有の識別番号を乗じる方法を用いることも可能である。ＣＲＣに移動端末固有の識別番号を乗じる方法は、各移動端末のページング信号の情報量が異なる場合に有効である。
【００７３】
実施の形態１で開示したＭＢＳＦＮエリア毎のＰＭＣＨ上にページング信号をのせる方法の場合、ページング信号をのせることができるＰＭＣＨの頻度は時間的に少なくなる。従って、ページング信号がのる１回のＰＭＣＨに多数のもしくは全移動端末分のページング信号をマッピングしなければならないという問題が生じる。この問題を解消するため、実施の形態１ではページンググループ化等の方法を開示した。本実施の形態２では、ＭＢＳＦＮエリア内でマルチセル送信されるページング専用の物理チャネルを設け、該物理チャネル上にページング信号をのせることにより、上記問題を解消することができた。また、移動体通信システムとして、ＭＢＭＳ専用セルからＭＢＭＳサービスを受信中の、または受信しようとしている移動端末のページング信号を送信できるので、ＭＢＭＳ専用セルにおいて移動端末はページング信号を受信することが可能となる。
【００７４】
本実施の形態における例では、あるセルにおいて、該セルが属するＭＢＳＦＮエリアに対応したＭＢＳＦＮサブフレームの一部をページング専用の物理チャネル(DPCHと称す)とし、ＤＰＣＨをサブフレーム毎に設ける構成としたが、サブフレーム毎に送信するのではなく、周期的に送信しても良い。例えば、２サブフレームに１回とか、１無線フレームに１回、各ＭＢＳＦＮエリアに対応したＭＢＳＦＮサブフレームの一部をページング専用の物理チャネル(DPCHと称す)として送信しても良い。システムで考慮する移動端末の数によって、同時にページングを送信可能な移動端末数とページングの頻度をもとに各ＭＢＳＦＮエリアのＤＰＣＨとして送信する繰り返し周期を決めても良い。これによって、ＤＰＣＨを送信しないサブフレームをＭＢＭＳサービス用データ領域とすることができ、ＭＢＭＳサービスの高速化を図ることができる。
【００７５】
実施の形態３．
実施の形態２では、ＭＢＳＦＮ（Multimedia Broadcast multicast service Single Frequency Network）エリア内でマルチセル送信されるページング専用の物理チャネルを設け、該物理チャネル上にページング信号をのせる方法を開示した。以下、実施の形態３では、ＭＢＳＦＮ同期エリア内でマルチセル(multi cell)送信される物理チャネルを設け、該物理チャネル上にページング信号をのせる方法を開示する。
【００７６】
図２０は、ＭＢＳＦＮ同期エリア内でマルチセル送信される物理チャネル(メインPMCHと称す)の構成を示す説明図である。ＭＢＳＦＮエリア毎に設けられたＰＭＣＨとして時分割多重とコード分割多重が混在している場合について示している。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃ｎ１、＃ｎ２、＃ｎ３のセルはＭＢＳＦＮエリア４内のセルでもある。ＭＢＳＦＮエリア１、２、３のＰＭＣＨは符号分割多重され、ＭＢＳＦＮエリア１、２、３のＰＭＣＨとＭＢＳＦＮエリア４のＰＭＣＨは時分割多重される。メインＰＭＣＨは、ＭＢＳＦＮエリア毎のＰＭＣＨと時分割多重される。セル＃ｎ１では、ＭＢＳＦＮエリア１とＭＢＳＦＮエリア４に属するため、ＰＭＣＨ１とＰＭＣＨ４は時分割多重され、さらにメインＰＭＣＨが時分割多重されて設けられる。セル＃２、セル＃３でも同様である。メインPMCHはMBSFN同期エリア内でマルチセル送信されるため、ＳＦＮ合成がなされるＭＢＳＦＮサブフレーム上で送信される。ＭＢＳＦＮサブフレームが割り当てられるＭＢＳＦＮフレームの集合をＭＢＳＦＮフレームクラスタとする。ＭＢＭＳ専用セルではＭＢＳＦＮフレーム内全てのサブフレームをマルチセル送信に用いられるＭＢＳＦＮサブフレームとしても良い。メインＰＭＣＨが繰り返される周期を「メインＰＭＣＨ繰り返し期間」（Main PMCH Repetition period）とする。メインＰＭＣＨには、ＭＢＭＳ用のトランスポートチャネルであるＭＣＨがマッピングされる。ＭＣＨにはＭＢＭＳ用制御情報を伝達する論理チャネルであるＭＣＣＨと、ＭＢＭＳ用データを伝達する論理チャネルであるＭＴＣＨのいずれか、あるいは両方がマッピングされる。ＭＣＣＨとＭＴＣＨは時間的に分割されてメインＰＭＣＨ上にマッピングされても良いし、時間的に分割されてマルチセル送信される物理領域にマッピングされても良い。
【００７７】
例えば、ＭＴＣＨとＭＣＣＨが、結果としてマッピングされる物理領域であるＭＢＳＦＮサブフレームが異なっていても良い。メインＰＭＣＨが送信される各ＭＢＳＦＮフレームクラスタにＭＣＣＨがマッピングされても良いし、ＭＴＣＨのみがマッピングされても良い。ＭＴＣＨのみが存在する場合、ＭＣＣＨの繰り返し周期は、メインＰＭＣＨの繰り返し周期と異なる。また、メインＰＭＣＨが送信されるＭＢＳＦＮフレームクラスタ上に複数のＭＣＣＨがマッピングされる場合も存在する。ＭＣＣＨの繰り返し周期を「ＭＣＣＨ繰り返し期間」（MCCH Repetition period）とする。図２０において、ＭＣＣＨ１（MCCH2,3,4）はＭＢＳＦＮエリア１（MBSFNエリア2,3,4）用のＭＢＭＳ制御情報、ＭＴＣＨ１（MTCH2,3,4）はＭＢＳＦＮエリア１（MBSFNエリア2,3,4）用のＭＢＭＳデータを伝送する。各ＰＭＣＨ上に各々ＭＣＣＨがマッピングされても良いし、ＭＴＣＨのみでも良い。ＭＴＣＨのみが存在する場合、各々のＭＢＳＦＮエリアのＭＣＣＨは、メインＰＭＣＨにマッピングされても良い。また、メインＰＭＣＨにマッピングされるＭＣＣＨの情報要素として含まれても良い。メインＰＭＣＨはＭＢＳＦＮ同期エリア内でマルチセル送信されるため、メインＰＭＣＨにおいては、各ＭＢＳＦＮエリアのＰＭＣＨにおいてのようにＭＢＳＦＮエリア固有の拡散符号（Scrambling Code）を乗じることが不可能である。なぜならば、異なるＭＢＳＦＮエリアのセルからメインＰＭＣＨは同じタイミングで送信されているため、メインＰＭＣＨにおいてＭＢＳＦＮエリア固有の拡散符号を乗じた場合、移動端末の受信機において、各ＭＢＳＦＮエリアから送信された該メインＰＭＣＨの位相がランダムになってしまいＳＦＮ合成できなくなるためである。従って、上記に示したように、メインＰＭＣＨと各ＭＢＳＦＮエリアのＰＭＣＨとを時分割多重することで、各ＭＢＳＦＮエリア固有の拡散符号を乗じるのをサブフレーム単位で行えるようにでき、メインＰＭＣＨのみに各ＭＢＳＦＮエリア固有の拡散符号を乗じないようにできる。これにより、メインＰＭＣＨはＭＢＳＦＮ同期エリア内でマルチセル送信されることができ、移動端末は該ＭＢＳＦＮ同期エリア内のどのＭＢＭＳサービスを受信しているもしくは受信しようとしていても、メインＰＭＣＨを受信することができ、さらにはＳＦＮ利得を得ることが可能となる。メインＰＭＣＨにおいては、固有の拡散符号を乗じないことを述べたが、ＭＢＳＦＮ同期エリア固有の拡散符号であれば乗じても良い。この場合、他のＭＢＳＦＮ同期エリア内セルからの干渉を抑圧でき、移動端末におけるＭＢＭＳサービスの受信誤差を低減することが可能となる。
【００７８】
図２１は、メインＰＭＣＨが送信される無線フレームの構成について示す説明図である。図２１において、メインＰＭＣＨが送信されるサブフレームを＃０と＃５を除いたサブフレーム＃ｋ１〜＃ｋ２とする(k1〜k2≠1、5)。ＭＢＭＳ専用セルにおいて、１無線フレーム内の＃０と＃５のサブフレームで同期チャネル（Synchronization Channel: SCH）が送信されることが検討されている。また、＃０のサブフレームにおいて報知チャネル（Broadcast Channel :BCH）が送信されることが検討されている。同期チャネル(SCH)にはセル固有のシーケンスもしくはＭＢＳＦＮエリア固有のシーケンスが含まれ、報知チャネル(BCH)においてはセル固有の拡散符号もしくはＭＢＳＦＮエリア固有の拡散符号が乗じられることが考えられている。従って、メインＰＭＣＨが送信されるサブフレームを、＃０と＃５を除いたサブフレームとすることで、ＭＢＳＦＮ同期エリア内でマルチセル送信されることができ、移動端末は該ＭＢＳＦＮ同期エリア内のどのＭＢＭＳサービスを受信しているもしくは受信しようとしていても、メインＰＭＣＨを受信することができ、さらにはＳＦＮ利得を得ることが可能となる。図ではメインＰＭＣＨが送信されるサブフレームを連続としたが、連続でなくても良い。＃０と＃５を除いたサブフレームにおいて連続にすることで、それ以外の受信不要なサブフレーム期間、移動端末は間欠受信することが可能となり、受信電力の削減を図ることができる。メインＰＭＣＨは毎無線フレーム毎になくてもよく、例えば、２無線フレーム毎、１０無線フレーム毎のように周期的にあっても良い。メインＰＭＣＨの周期を「メインPMCH繰り返し期間」（Main PMCH repetition period）であらわす。これによって、メインＰＭＣＨを送信しないサブフレームのＰＭＣＨをＭＢＭＳサービス用データ領域とすることができ、ＭＢＭＳサービスの高速化を図ることができるという効果がある。メインＰＭＣＨの存在する無線フレームやサブフレームのスタートタイミング(SFN、スターティングポイント)、サブフレームナンバ、メインＰＭＣＨ繰り返し期間はユニキャスト側サービングセルの報知情報で通知されても良いし、ＭＢＭＳ専用セルの報知情報で通知されても良い。あらかじめ決められていても良い。なお、メインＰＭＣＨはマルチセル送信されるので、メインＰＭＣＨが存在するサブフレームはＭＢＳＦＮサブフレーム、無線フレームはＭＢＳＦＮフレームであるとしても良い。
【００７９】
図２２は、同期チャネルＳＣＨと同じサブフレーム内でメインＰＭＣＨが送信される無線フレームの構成について示す説明図である。図２２は、メインＰＭＣＨが送信されるサブフレームを＃５とし、同期チャネルＳＣＨがマッピングされる領域外にメインＭＣＨをマッピングする構成を示す。図２１ではサブフレームを＃０と＃５を除いたサブフレームにマッピングする構成を示した。これにより、サブフレーム内の全てのＯＦＤＭシンボルをＭＢＳＦＮ同期エリア内でマルチセル送信することが可能となるからである。従って、基地局の送信機、移動端末の受信機を簡易にすることが可能となる。図２２では、さらに、メインＰＭＣＨを＃５のサブフレームの同期チャネルＳＣＨがマッピングされている物理領域を除いた領域の全部もしくは一部に構成する。同期チャネルＳＣＨはＭＢＭＳ専用セルにおいて、１無線フレーム内の＃０と＃５のサブフレームで送信されることを述べた。ここで、＃５のサブフレームで報知チャネルＢＣＨは送信されないため、セル固有の拡散符号もしくはＭＢＳＦＮエリア固有の拡散符号を乗じる必要がない。従って、＃５のサブフレームの、同期チャネルＳＣＨがマッピングされている物理領域を除いた領域の全部もしくは一部を、メインＰＭＣＨ用にすることは可能である。例えば、ＳＣＨが＃５のサブフレームの６番目および７番目のＯＦＤＭシンボルにマッピングされている場合、１番目から５番目と８番目から最後までのＯＦＤＭシンボルをメインＰＭＣＨ用の領域とする。こうすることで、メインＰＭＣＨはＭＢＳＦＮ同期エリア内でマルチセル送信されることができ、移動端末は該ＭＢＳＦＮ同期エリア内のどのＭＢＭＳサービスを受信しているもしくは受信しようとしていても、メインＰＭＣＨを受信することができ、さらにはＳＦＮ利得を得ることが可能となる。＃５のサブフレームをメインＰＭＣＨにも使用することを可能とすることで、システムの柔軟性が増大し、無線リソースの効率化を図ることができる。
【００８０】
図２３はページング信号用領域を設けたメインＰＭＣＨの構成を示す説明図である。図２３（ａ）はメインＰＭＣＨ上にＭＢＭＳ関連情報とページング信号を含む構成を示す図である。ＭＢＭＳ関連情報とページング信号は、各々がＭＴＣＨ、ＭＣＣＨ内の情報要素として存在しても良いし、各々がマッピングされる物理領域(リソース)が時間的に分割多重されても良い。情報要素としてのせる場合のマッピング方法の場合は、一例として図２７に開示した方法が適用できる。図２７の物理チャネルＰＭＣＨをメインＰＭＣＨとすれば良い。ＭＢＭＳ関連情報のうち、ＭＢＭＳ制御情報とともにページング信号を情報要素として論理チャネルＭＣＣＨ上にのせる。ＭＣＣＨはＭＴＣＨとともにトランスポートチャネルＭＣＨにマッピングされ、ＭＣＨは物理チャネルであるメインＰＭＣＨにマッピングされることになる。こうすることで、ＭＢＭＳサービスを受信している、あるいはしようとしている移動端末がＭＣＣＨを受信する際にページング信号を受信することが可能となる。また他の例として、図２８に開示した方法が適用できる。図２８の物理チャネルであるＰＭＣＨをメインＰＭＣＨとすれば良い。ページング信号ののる論理チャネルＰＣＣＨをＭＢＭＳ関連情報の論理チャネルＭＴＣＨ、ＭＣＣＨと多重してトランスポートチャネルＭＣＨにのせる。基地局は、ＭＴＣＨのみのＭＢＳＦＮサブフレームとＭＣＣＨとＰＣＣＨのマッピングされるＭＢＳＦＮサブフレームを設けるようにしても良いし、さらに、ＭＣＣＨのみのＭＢＳＦＮサブフレーム、ＰＣＣＨのみのＭＢＳＦＮサブフレームを設けるように制御しても良い。こうすることで各々時間的に分割されて送信可能となる。また、ＭＣＣＨとＰＣＣＨの乗るＭＢＳＦＮサブフレームを時間的に隣接するようにしても良い。こうすることで、ＭＢＭＳサービスを受信している、あるいはしようとしている移動端末がＭＣＣＨを受信する際にページング信号を受信することが可能となる。
【００８１】
さらに別の例として、図２９に開示した方法が適用できる。図２９の物理チャネルＰＭＣＨをメインＰＭＣＨとすれば良い。ページング信号ののるＰＣＣＨはトランスポートチャネルＰＣＨにマッピングされ、ＭＣＨと多重されてメインＰＭＣＨにマッピングされる。こうすることで、基地局は、ＰＣＨとＭＣＨを時間的に分割して送信可能となり、さらには、エンコーディングを別々に行うことが可能となる。従って、移動端末においては、受信時にデコードを別々に行うことが可能となる。上記の例において、実施の形態１と異なるのは、メインＰＭＣＨにマッピングされるＭＴＣＨ、ＭＣＣＨ、ＰＣＣＨはＭＢＳＦＮエリア内ではなくＭＢＳＦＮ同期エリア内でマルチセル送信されることである。従って、ＭＢＳＦＮエリア内でマルチセル送信されるＰＭＣＨとＭＢＳＦＮ同期エリア内でマルチセル送信されるメインＰＭＣＨを明確にわけておいても良い。図３１は、ＭＢＳＦＮ同期エリア共通の物理チャネルとしてメインＰＭＣＨを設けた場合のマッピング方法を示す説明図である。図３１にＰＭＣＨとメインＰＭＣＨを設けた場合のマッピングについて開示する。本例は、図２９のＭＣＨとＰＣＨを用いる場合について示してある。ＭＢＳＦＮエリア内へ送信するＭＢＭＳ関連情報であるＭＴＣＨ、ＭＣＣＨはトランスポートチャネルＭＣＨにマッピングされ、物理チャネルＰＭＣＨにマッピングされる。ＰＭＣＨはＭＢＳＦＮエリアに対応するＭＢＳＦＮサブフレームで送信される。ＭＢＳＦＮ同期エリア内へ送信するＭＢＭＳ関連情報であるＭＴＣＨ、ＭＣＣＨはトランスポートチャネルＭＣＨにマッピングされ、物理チャネルであるメインＰＭＣＨにマッピングされる。ＭＢＳＦＮ同期エリア内へ送信するページング信号ののるＰＣＣＨはトランスポートチャネルＰＣＨにマッピングされ、物理チャネルであるメインＰＭＣＨにマッピングされる。メインＰＭＣＨはＭＢＳＦＮ同期エリアにマルチセル送信されるＭＢＳＦＮサブフレームで送信される。
【００８２】
また、論理チャネルかつまたはトランスポートチャネルについてもＭＢＳＦＮエリア内用とＭＢＳＦＮ同期エリア内用とを個別に設けておいても良い。例えば、ＭＢＳＦＮ同期エリア内に送信するＭＢＭＳ関連情報がＭＢＭＳ制御情報のみの場合について図３１の破線で示す。ＭＢＳＦＮ同期エリア内に送信する論理チャネルＭＣＣＨを例えばメインＭＣＣＨ、トランスポートチャネルＭＣＨを例えばメインＭＣＨとしても良い。メインＭＣＨは物理チャネルであるメインＰＭＣＨにマッピングされる。このように個別にすることによって、基地局でのスケジューリングやＨＡＲＱ（Hybrid Automatic Repeat reQuest）処理やエンコード処理やAMC(Adaptive Modulation Coding)処理等がＭＢＳＦＮ同期エリアとＭＢＳＦＮエリアで個別に行えるようになるため、基地局と移動端末間の電波環境の変動に柔軟に対応することが可能となり、無線リソースの効率化を図ることが可能となる。ＭＢＳＦＮ同期エリア内でマルチセル送信されるＭＣＣＨには、ＭＢＳＦＮ同期エリアに含まれる各ＭＢＳＦＮエリアのサービス情報、フレーム構成情報等が含まれる。また、ＭＢＳＦＮエリア毎のＭＢＭＳサービス用制御情報が含まれていても良い。この場合は、各ＭＢＳＦＮエリア毎のＰＭＣＨでＭＣＣＨを送信しなくてすむため、ＭＢＭＳ用データ領域を増大することが可能となり、ＭＢＭＳ送信の高速化を図ることができる。ＭＢＳＦＮ同期エリア内でマルチセル送信されるＭＣＣＨは、各ＭＢＳＦＮ同期エリア内でメインＰＭＣＨ繰り返し期間（Main PMCH repetition period）で周期的にマルチセル送信される。
【００８３】
一方、あるＭＢＳＦＮエリア内セルからマルチセル送信されるＭＢＭＳサービスを受信している、あるいはしようとしている移動端末は、メインＰＭＣＨ上のＭＣＣＨを定期的に受信し、ＭＢＭＳサービスの内容やフレーム構成等を受信することによって、ＭＢＭＳサービスを受信可能とする。従って、移動端末はメインＰＭＣＨ上のＭＣＣＨを受信してデコードした後に、所望のサービスがない場合は他のＭＢＳＦＮエリアに対応したＰＭＣＨを受信することなく、次のメインＰＭＣＨまで間欠受信動作することが可能となる。従って、移動端末の消費電力の削減が図ることができる。さらに、ページング信号を該ＭＣＣＨに含ませることによって、ＭＢＭＳサービスを受信している、あるいはしようとしている移動端末がＭＣＣＨを受信する際にページング信号を受信可能とすることができる。これにより、移動端末はＭＣＣＨを受信する以外のタイミングで別途ページングを受信する必要がなくなるため、ＭＢＭＳサービスの受信を中断することなくページングを受信可能となる。また、ＭＣＣＨを受信していない時間、ＭＢＭＳサービスの受信を行っていない持間は間欠受信することができ、移動端末の消費電力の削減を図ることができる。図２８に開示した方法を適用した場合、ＭＣＣＨとＰＣＣＨを同じＭＢＳＦＮサブフレームに構成されるようにしても良いし、ＭＣＣＨの乗るＭＢＳＦＮサブフレームとページング信号ののるＭＢＳＦＮサブフレームを時間的に隣接するようにしておいても良い。また、図２９で開示した方法を適用した場合は、ＭＣＣＨののるＭＢＳＦＮサブフレームとページング信号ののるＭＢＳＦＮサブフレームを時間的に隣接するようにしておけば良い。このような構成にすることで、ＭＢＭＳサービスを受信している、あるいはしようとしている移動端末がＭＣＣＨを受信する際にページング信号を連続して受信可能とすることができる。これにより、移動端末はＭＣＣＨ及びＰＣＣＨののるサブフレームを受信する以外のタイミングで別途ページング信号を受信する必要がなくなるため、ＭＢＭＳサービスの受信を中断することなくページング信号を受信可能となる。また、ＭＣＣＨを受信していない時間、ＭＢＭＳサービスの受信を行っていない持間は間欠受信することができ、移動端末の消費電力の削減を図ることができる。
【００８４】
図２３（ｂ）に、ＭＢＭＳ制御情報が変更されたかどうかを示す「ＭＢＭＳ関連情報の変更有無インジケータ」、ページング信号が送信されたかどうかを示す「ページング信号有無インジケータ」を設けた構成を開示する。これらのインジケータがマッピングされる物理領域はメインＰＭＣＨが送信されるＭＢＳＦＮサブフレームに設けられても良いし、また、メインＰＭＣＨが送信されるＭＢＳＦＮサブフレームと時間的に隣接する物理領域に設けられても良い。こうすることにより、移動端末はインジケータ受信後ただちにメインＰＭＣＨに乗るＭＣＣＨやページング信号を受信しデコード可能となる。例えば、インジケータとして１ビットの情報とする。各インジケータはエンコードされるか、またはＭＢＳＦＮ同期エリア固有の拡散コードが乗じられる等されてあらかじめ決められた物理領域にマッピングされる。例えば、移動端末に着信が発生した場合、ページング信号有無インジケータを“１”にセットし、着信がない場合はページング信号有無インジケータを“０”にセットする。また、例えば、ＭＢＳＦＮ同期エリア内で送信されるＭＢＭＳサービスの内容が変更されるなどしてＭＣＣＨにのるＭＢＭＳ制御情報が変更された場合、ＭＢＭＳ関連情報の変更有無インジケータを“１”にセットする。ＭＢＭＳ関連情報の変更が可能な周期(MBMS modification period)を決めておき、その周期内で変更有無インジケータ“１”を繰り返し送信する。ＭＢＭＳ関連情報の変更が可能な周期（MBMS modification period）、スタートタイミング(SFN、スターティングポイント)等はあらかじめ決められていても良いし、ユニキャストサービスでのサービングセルから、もしくはＭＢＭＳ専用セルから報知情報で通知されても良い。該周期（MBMS modification period）経過した後に更にＭＢＭＳ関連情報の変更がない場合は、ＭＢＭＳ関連情報の変更有無インジケータを“0”にセットする。
【００８５】
移動端末は、メインＰＭＣＨがマルチセル送信されるＭＢＳＦＮサブフレームもしくは隣接するＭＢＳＦＮサブフレーム内のインジケータを受信し逆拡散等を行い、インジケータが１か０かを判定することで、ＭＣＣＨ内に存在するＭＢＭＳ関連の情報に変更が生じたかどうかや、ページングが存在するかどうかを判断することが可能となる。このようにインジケータを設けることで、ＭＢＭＳ制御情報に変更が生じない場合や、ページングが存在しない場合は、移動端末はメインＰＭＣＨ全部の情報を受信、デコードする必要がなくなる。このため、移動端末の受信電力の削減を図ることが可能となる。ＭＢＭＳ制御情報が変更されたかどうかを示すＭＢＭＳ関連情報変更有無インジケータをマッピングする物理領域を、ＭＢＭＳ制御情報がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ＭＢＭＳ制御情報に変更が生じたかどうかを判断することが可能となる。また、ページング信号が存在するかどうかを示すページング信号有無インジケータをマッピングする物理領域を、ページング信号がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ページング信号が存在するかどうかを判断することが可能となる。
【００８６】
各インジケータを上記のような物理領域にマッピングすることで、ＭＢＭＳ制御信号変更無しの場合、ページング情報が存在しない場合、各々その後のＯＦＤＭシンボルを受信、デコードする必要がなくなり、さらなる移動端末の受信電力の削減をはかることが可能となる。また、最初のＭＢＳＦＮサブフレームや先頭のＯＦＤＭシンボルで早期に判断できるので、ＭＢＭＳ制御情報をただちに受信することができたり、または、ページング信号をただちに受信することができたりするため、移動端末での制御遅延を低減することが可能となる。インジケータとして、ＭＢＭＳ関連情報の変更有無インジケータとページング信号有無インジケータを異なる物理領域にマッピングしても良いし、各々異なる物理領域にマッピングしても良い。同じ物理領域にマッピングする場合は、各インジケータのオア(or)演算をとれば良い。これにより移動端末は受信するインジケータがひとつですむため、受信回路構成を簡単にできる効果が得られる。各々異なる物理領域にマッピングする場合は、これにより、移動端末は、必要なインジケータのみ受信しておけば良く、他のインジケータを受信する必要はなくなる。したがって、移動端末の受信電力のさらなる削減や、必要な情報の受信遅延のさらなる低減が図ることができる。例えば、ＭＢＭＳサービスを受信しているが、ページングを受信しないように設定している移動端末では、ＭＢＭＳ関連情報の変更有無インジケータのみ受信すればよく、ページング信号有無インジケータを受信する必要をなくすことができる。各々のインジケータの繰り返し周期は同じでも良いし、異なっていても良い。各々のインジケータの繰り返し周期はメインＰＭＣＨの繰り返し周期と同じでも良いし、異なっていても良い。例えばＭＢＭＳ関連情報の変更有無インジケータを何回かに１回メインＰＭＣＨに設けても良い。インジケータの繰り返し周期は、各々、「ページング信号有無インジケータ繰り返し期間」、「ＭＢＭＳ関連変更有無インジケータ繰り返し期間」とする。インジケータの存在するＭＢＳＦＮサブフレームのスタートタイミング(SFN、スターティングポイント)、サブフレームナンバ、各々のインジケータの繰り返し周期等はユニキャストサービスのサービングセルの報知情報で通知されても良いし、ＭＢＭＳ専用セルの報知情報で通知されても良いし、あらかじめ決められていても良い。
【００８７】
さらに、ＭＢＭＳ関連情報の変更有無インジケータ専用のチャネルをメインＰＭＣＨ上に構成して、例えばＭＩＣＨ(MBMS Indicating CHannel)としても良い。ＭＩＣＨ内にページング信号有無インジケータを構成し、ＭＩＣＨの繰り返し周期を「ＭＩＣＨ繰り返し期間」（MICH Repetition period）とする。ページング信号有無インジケータの繰返し周期はＭＩＣＨの繰り返し周期と同じでも良いし異なっていても良い。インジケータの通知に関しては先に記載した同様の方法で行うことができる。これにより、各々のインジケータが送信される時間がＭＣＣＨが送信される時間に限定されず、システムにおいて柔軟に設計することが可能となる。上記のように構成した場合、ＭＢＭＳ関連情報の変更有無インジケータはメインＰＭＣＨ上のＭＢＭＳ制御情報が変更されたかどうかを示すため、所望のＭＢＳＦＮエリア内で送信されるＭＢＭＳサービスが変更されたかどうかについては、該インジケータを検出しただけでは不明である。所望のＭＢＳＦＮエリア内で送信されるＭＢＭＳサービスが変更されたかはメインＰＭＣＨ上のＭＢＭＳ制御情報を受信、デコードしなければならない。メインＰＭＣＨ上のＭＢＭＳ制御情報として、さらにどのＭＢＳＦＮエリア内で送信されるＭＢＭＳサービスが変更されたかを示すインジケータを設けても良い。該インジケータ用の物理領域をメインＰＭＣＨ上のＭＢＭＳ制御情報がのるＭＢＳＦＮサブフレームの直前に設けても良い。こうすることで、メインＰＭＣＨ上のＭＢＭＳ制御情報を全て受信、デコードする必要なく、所望のＭＢＳＦＮエリア内で送信されるＭＢＭＳサービスが変更されたかどうかを検出することができる。従って、移動端末での制御遅延を低減することが可能となる。
【００８８】
ページング信号をメインＰＭＣＨにのせる場合、着信がかかった移動端末の数が膨大になった場合、自移動端末宛てのページング信号を検出するのに時間がかかりすぎてしまうという問題が生じる。また、ページング信号ののる所定の物理領域に、着信がかかった全ての移動端末のページング信号をマッピングする領域が確保できないという問題が生じる。これらの問題を解決するため、ページンググループ化する方法を開示する。図２３（ｃ）に、ページング信号有無インジケータの構成例を示す。全移動端末をＫ個のグループに分け、各グループ毎にページング信号有無インジケータを設ける。ページング信号有無インジケータ用の物理領域をＫ個に分割し、分割した各々の物理領域に各グループのページング信号有無インジケータをマッピングする。ここで、Ｋは１から全移動端末数の値までをとりうる。ある移動端末に着信がかかった場合、該移動端末が属するグループのページング信号有無インジケータを“１”にセットする。あるグループに属する全ての移動端末に着信がない場合は該グループのページング信号有無インジケータを“０”にセットする。ページング信号有無インジケータは移動端末での所望の受信誤り率を満足するために“１”（あるいは“０”）を複数個繰返して物理領域にマッピングするリピテーション等が行われても良い。ページング信号をマッピングする物理領域もＫ個に分割し、上記Ｋ個のグループに対応するようにしておく。ページング信号として、移動端末毎の識別子(識別番号、識別コード)であっても良い。Ｋ個に分割されたひとつの物理領域は、移動端末１台が必要とするページング信号データが収まる物理領域を、グループ内の移動端末数分加算した物理領域とする。グループ内の移動端末数はグループ全てで同じで合っても良いし、グループ毎に異なっていても良い。グループ内の移動端末数は、例えば、同時に着信が発生する移動端末数の平均値とする方法がある。また、ひとつのＯＦＤＭシンボルに割当て可能な移動端末台数とし、各ＯＦＤＭシンボルを各グループに対応させる方法としても良い。
【００８９】
ある移動端末に着信が発生した場合、該移動端末が属するグループのページング信号有無インジケータを“１”にセットし、該グループに対応したページング信号有無インジケータ用物理領域にマッピングする。それとともに、着信が発生した移動端末向けのページング信号を、該移動端末が属するグループに対応するページング関連の物理領域にマッピングする。ページング信号の物理チャネル領域へのマッピングは、移動端末毎に該移動端末固有の識別コードを乗じる。ページング信号が移動端末毎の識別子である場合は上記移動端末固有の識別コードを乗じる制御を省略できる。移動端末は、自移動端末が属するグループのページング信号有無インジケータを受信することで、自移動端末が属するグループに着信がかかっているかどうか判定する。着信がかかっていると判定した場合、自移動端末が属するグループに対応づけられたページング信号がマッピングされる物理領域を受信しデコードする。デコード後、移動端末固有の識別コードとの相関演算を行うことによりブラインド検出を行い、自移動端末向けのページング信号を特定することで、自移動端末への着信有りと判定することが可能となる。自移動端末向けのページング信号を検出しなかった場合は、自移動端末への着信なしと判定する。移動端末をＫ個のグループにグルーピングすることで、移動端末は、ページング信号用領域全てを受信する必要がなくなり、必要な領域のみ、すなわち自移動端末が属するグループが対応する物理領域のみ受信すればよくなるため、移動端末の受信電力の削減を図ることができる。さらには、グループ毎に対応したページング信号有無インジケータを用いることで、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。
【００９０】
上記実施の形態では、ページング信号をマッピングする、Ｋ個に分割されたひとつの物理領域は、移動端末1台が必要とするページング信号データが収まる物理領域を、グループ内の移動端末数分加算した物理領域とすしていた。しかし、移動端末数が多大になると、必要とする物理領域が多大になり、ＭＢＭＳサービスを送信するためのオーバーヘッドが多大になるためＭＢＭＳサービスデータの送信速度が低下する。これを防ぐため、移動端末向けのページング信号に移動端末毎に該移動端末固有の識別コードを乗じる。これにより、移動端末は自移動端末宛ての情報かどうかを該移動端末固有の識別コードを用いてブラインド検出することが可能となるため、各移動端末毎のページング信号をマッピングする物理領域をあらかじめ固定しておく必要がなくなる。したがって、全移動端末分の物理領域を必要とせず、実際に着信が生じると予測される移動端末数分の領域さえあれば良い。例として、グループ内の移動端末数を、同時に着信が発生する移動端末数の平均値とする方法がある。この方法により、限られた物理リソースを有効に利用することが可能となる。また、上記の方法とすることで、予測以上に着信する移動端末数が多くなった場合は、新しい着信の移動端末へのページング信号は、次のメインＰＭＣＨ上で送信する等、基地局でのスケジューリングにより柔軟に対応することが可能となる。
【００９１】
全移動端末数が少ない場合、Ｋの値を全移動端末数として、ページング信号有無インジケータのみ送信しても良い。この場合、ページング信号用領域を確保する必要がなく、ページング信号有無インジケータ用の物理領域を全移動端末数分確保しておけばよい。このため、無線リソースの効率化を図ることができる。また、この場合、移動端末毎に対応するページング信号有無インジケータ用の物理領域が存在することになる。このため、移動端末においては、自移動端末に対応したページング信号有無インジケータ用の物理領域を受信してデコードするだけで、ページング信号用領域を受信せずに、着信の有無が判定でき、移動端末のページング動作での制御遅延が低減できる。
【００９２】
ページング信号をメインＰＭＣＨのページング関連の物理領域にマッピングする方法は、実施の形態１で開示した方法が適用できる。例えば図１３や図１４の方法である。ただし、変調処理、拡散処理等において、ＭＢＳＦＮエリア固有の拡散符号を乗じるステップは適用できず、ＭＢＳＦＮエリア固有の拡散符号は乗じないようにする、もしくは、ＭＢＳＦＮ同期エリア固有の拡散符号を乗じる必要がある。
【００９３】
上記の例では、メインＰＭＣＨの構成およびページング信号をメインＰＭＣＨへマッピングする方法として、実施の形態1で開示した方法を適用した。同様に、例えば、メインＰＭＣＨが送信される頻度が時間的に高い場合、メインＰＭＣＨの構成およびページング信号をメインＰＭＣＨへマッピングする方法として実施の形態２で開示した方法を適用することも可能である。
【００９４】
本実施の形態３で開示したＭＢＳＦＮ同期エリア内でマルチセル送信される物理チャネルを設け、該物理チャンル上にページング信号をのせる方法とすることで、移動体通信システムとして、ＭＢＭＳ専用セルからＭＢＭＳサービスを受信しているもしくは受信しようとしている全移動端末のページング信号を送信できるようになり、該移動端末がMBMS専用セルからページング信号を受信することを可能とする。
【００９５】
実施の形態４．
以上の実施の形態では、ページング信号はＭＢＳＦＮエリアもしくはＭＢＳＦＮ同期エリアの全てのセルからマルチセル送信されるように設けられる方法を開示した。ＭＢＳＦＮエリアやＭＢＳＦＮ同期エリアは地理的に広大な範囲となることも考えられる。このような場合、移動端末においてＳＦＮ合成に寄与しないセルから該移動端末向けのページング信号を送信することは、無線リソースの無駄となりシステム容量の低下を引き起こす。従って、ページング信号を送信するセルを移動端末が存在するセルおよび近傍のセルに限定する必要性が生じる。ページング信号を送信するセルを移動端末が存在するセルおよび近傍のセルに限定した場合、同じＭＢＳＦＮエリアもしくは同じＭＢＳＦＮ同期エリア内で、ある移動端末へのページング信号を送信するセルと送信しないセルが生じ、セル間で異なる信号を送信することとなり、マルチセル送信ではなくなる。移動端末は受信するセルを選択的に限定できないため、マルチセル送信でない信号も受信することになり、受信誤りが引き起こされる。ページング信号を送信しないセルから送信された異なる信号により、所望のページング信号の受信品質が劣化することになる。特に、ページング信号を送信するセルとページング信号を送信しないセルとの境界付近に存在する移動端末にとっては受信誤りが増大し、ページング信号を受信できなくなるという問題が生じる。そこで、本実施の形態では、ページング信号を送信するセルとページング信号を送信しないセルを設ける構成について開示する。
【００９６】
移動端末でのページング信号の受信誤りを低減するため、ページング信号をマッピングする方法をページング信号を送信するセルとしないセルで変更する。図２４は、ＭＢＳＦＮエリアもしくはＭＢＳＦＮ同期エリア内の一部のセルにページング信号を送信する方法を示す説明図である。図２４に示すように、ページング信号を送信するセルでは、図１３または図１８を参照して説明したように、信号に当該移動端末固有の識別番号を乗じる処理を行い、一連の処理を行った結果を制御情報要素単位に割り当て、着信がかかっている各々の移動端末分連結するまでの処理を行う。一方、ページング信号を送信しないセルでは、かかる処理は行わない。ページング信号ののる物理領域としては、上記実施の形態で示した、ＰＭＣＨ、ＤＰＣＨ、メインＰＭＣＨがある。ＭＢＳＦＮエリア内もしくはＭＢＳＦＮ同期エリア内で、着信が発生した移動端末に対してページング信号を送信するセルと送信しないセルが存在する場合、ページング信号を送信するセルでは、基地局は、図中のスイッチ２４０１を端子ａに接続する。移動端末へのページング信号に該移動端末固有の識別番号を乗じ、ＣＲＣ付加を行い、エンコード、レートマッチング等の処理を行う。スイッチ２４０１が端子ａに接続されているので、移動端末毎の上記処理後の情報が、ある制御情報要素単位に割り当てられる。
【００９７】
一方、ページング信号を送信しないセルでは、基地局は、図中のスイッチ２４０１を端子ｂに接続する。移動端末へのページング信号を用いることなく、セル毎のパディング用コードを設け、該パディング用コードがある制御情報要素単位に割り当てられる。ここで、ある移動端末に対して割り当てられる制御情報要素単位の領域は、ページング信号を送信するセルと送信しないセルとで同一とする。これにより基地局は、ページング信号を送信するセルと送信しないセルとで割り当てる情報をスイッチによって簡単に切替え可能とできる。さらに、ある移動端末に対して割り当てられる制御情報要素単位の領域の大きさを、全ての移動端末で同じにしておくことで、セル毎のパディング用コード長をあらかじめ決めておくことが可能となる。これにより、パディング用コードの埋めこみ制御を簡易に構成することが可能となる。一方、あるＭＢＳＦＮエリア内もしくはＭＢＳＦＮ同期エリア内のセルからマルチセル送信されるＭＢＭＳサービスを受信しているあるいはしようとしている移動端末は、ページング信号がマッピングされるＰＭＣＨもしくはＤＰＣＨもしくはメインＰＭＣＨを受信し、復調処理、逆拡散処理等を行い、制御情報要素単位の領域に分割する。分割した制御情報要素単位の領域を、デコード等行い、自端末固有の識別番号により相関演算を行うことによって、自移動端末向けのページング信号をブラインド検出する。ある閾値より相関演算結果が大きい場合は自移動端末向けのページングが有ると判定し、ページング信号によりページング着信動作に入る。ある閾値以下の場合は自端末向けのページングはなしと判定し、ＭＢＭＳ関連情報の受信に移行する、またはＭＢＭＳ関連情報の受信の必要がなければ間欠受信動作に移行する。
【００９８】
もし、ページング信号を送信しないセルからの送信信号がページング信号を送信するセルからの送信信号と異なる場合は、マルチセル送信とならず、マルチセル送信によりＳＦＮ利得を得られないだけでなく、ページング信号を送信しないセルからの送信信号が雑音となり、移動端末での相関演算結果に誤りが増大することとなる。本実施の形態で開示したように、ページング信号を送信しないセルにおいて、パディング（埋めこみ、設定）用コードを予め決めておき、該パディング用コードをページング信号がマッピングされる領域に埋めこむことによって、移動端末での相関演算での誤りを低減することが可能となる。図２５は、ページング信号を送信しないセルで設けたセル毎のパディング用コードの例を示す説明図である。例えば、ページング信号を送信しないセルはパディング用コードを「オール０」（all0）とする。この場合、ページング信号を送信しない全てのセルで同じコードすなわち「オール０」とする。こうすることによって、移動端末において受信機に干渉キャンセラなどの干渉除去機能を持つことで、移動端末はページング信号を送信しないセルから送信された“０”の成分をキャンセルすることができ、ページング信号を送信するセルから送信されたページング信号のみをＳＦＮ合成することが可能となり、移動端末での相関演算におけるページング信号の受信誤りを低減することが可能となる。ページングを送信しないセルのパディング用コードを「オール１」(all1)としてもよい。この場合、ページングを送信しない全てのセルで同じコードすなわちオール１とする。この場合も、移動端末が干渉キャンセラなどの干渉除去機能を持つことによって“１”の成分をキャンセルすることができ、移動端末でのページング信号の受信誤りを低減することが可能となる。なお、オール０、オール１でなく、既知の特定のコードであっても良い。ページング信号を送信しないセルのパディング用コードをランダム値としてもよい。この場合、各セル毎でランダムな値を導出し、パディングする。こうすることによって、移動端末において、ページング信号を送信しないセルから送信された信号が異なるランダム信号のためお互いにキャンセルされることになり、ページング信号を送信するセルから送信されたページング信号成分が相対的に強くなるため、相関演算におけるページング信号の受信誤りを低減することが可能となる。
【００９９】
ページング信号を送信するセルと送信しないセルを識別するためのページング送信セル識別用コードを用いても良い。ページング送信セル識別用コードは直交もしくは擬似直交コードとしても良い。また、スクランブリングコードでも良いし拡散コードでも良い。図２６は、ページング送信セル識別用コードを用いる方法を示す説明図である。基地局は、ページング信号に移動端末識別用コードを乗算し、ＣＲＣ付加、エンコード、レートマッチング、ＭＣＳ（Modulation Coding Scheme）反映等の符号化（Coding）処理を行い、ページング送信セル識別用コードを乗じる。ページング送信セル識別用コードとして、ページング信号を送信するセルにおいてはページング信号送信セル用の拡散コードを用いる。ページング信号を送信しないセルにおいてはページング信号非送信セル用の拡散コードを用いる。ページング送信セル識別用コードである、ページング信号送信セル用の拡散コードとページング信号非送信セル用の拡散コードは直交コードとしておく。これらページング送信セル識別用コードを乗じた結果を、制御情報要素単位に割当て、着信がかかっている各々の移動端末分連結する。一方、あるＭＢＳＦＮエリア内もしくはＭＢＳＦＮ同期エリア内のセルからマルチセル送信されるＭＢＭＳサービスを受信している、あるいはしようとしている移動端末は、ページング信号がマッピングされるＰＭＣＨ、ＤＰＣＨ、もしくはメインＰＭＣＨを受信し、復調処理、逆拡散処理等を行い、制御情報要素単位の領域に分割する。分割した制御情報要素単位の領域を、ページング信号送信セル用拡散コードにより逆拡散を行う。同一の物理領域において、ページング信号を送信するセルと送信しないセルとで直交する拡散コードが乗じられて送信されているため、ページング信号送信セル用の拡散コードを用いて逆拡散を行うことによって、ページング信号を送信しないセルからの信号の影響を排除することが可能となり、受信誤差の低減を図ることができる。
【０１００】
逆拡散後のデータを、デコーディング等の処理を行い、自移動端末識別用コードにてブラインド検出を行う。ある閾値より相関演算結果が大きい場合は自移動端末向けのページングが有ると判定し、ページング信号によりページング着信動作に入る。ある閾値以下の場合は自端末向けのページングは無しと判定し、ＭＢＭＳ関連情報の受信に移行する、またはＭＢＭＳ関連情報の受信の必要がなければ間欠受信動作に移行する。ページング送信セル識別用コードは各々あらかじめ決められていても良いし、ＭＢＭＳ専用セルの報知情報や、ユニキャストセルの報知情報で通知されても良い。このように、ページング信号を送信するセルと送信しないセルとで直交する拡散コードを乗じ、受信側で逆拡散を行うことによって、ページング信号を送信しないセルからの信号の影響を排除し、ページング信号を送信するセルからのページング信号を低い受信誤差で抽出することが可能となる。なお、本発明において、移動端末識別用コードとページング送信セル識別用コードを乗じる順序は逆であっても良い。移動端末識別用コードを後で乗じた場合は、移動端末において、先に自移動端末固有の識別番号で相関演算を行うことによって、早期に自移動端末向けのページング信号があるかどうかを判断することが可能となるという利点が生じる。
【０１０１】
本実施の形態において、各セルはパディング用コードやページング送信セル識別用コードを初期設定としてページング信号を送信しないコードとしておいても良い。ＭＭＥ、ＭＣＥもしくはＭＢＭＳ-ＧＷからページングリクエスト等によるページング発生の通知が来た場合のみ、そのセルは、該通知が来た移動端末のみに、パディング用コードやページング送信セル識別用コードをページング信号を送信するコードとするようにしておいても良い。こうすることで、ページングが発生しない旨の通知を、MME、MCEもしくはＭＢＭＳ-ＧＷから各セルに送信する必要がなくなるため、シグナリング量の削減を図ることができる。
【０１０２】
本実施の形態のような構成にすることで、ページング信号を送信するセルと送信しないセルを設けることが可能となり、ＭＢＳＦＮエリアもしくはＭＢＳＦＮ同期エリアが地理的に広大な範囲となった場合にも、ページング信号を送信するセルを移動端末が存在するセルおよび近傍のセルに限定することが可能となる。ページング信号を送信するセルを移動端末が存在するセルおよび近傍のセルに限定した場合も、移動端末において、ページング信号を送信しないセルから送信された異なる信号により、所望のページング信号の受信品質を劣化させることなくページング信号を受信できるという効果が得られる。特に、ページング信号を送信するセルとページング信号を送信しないセルとの境界付近に存在する移動端末にとっては高品質なページング信号を受信できるという効果が得られる。さらに、例えばユニキャストセルのトラッキングエリアに地理的に近いひとつまたは複数のＭＢＳＦＮエリア内のセルのみにページング信号を送信する場合、ページングリクエストを受信したＭＭＥは、ＭＢＳＦＮ同期エリア内全てのＭＢＳＦＮエリアに各々対応した全てのＭＣＥに対してページングリクエスト信号を送信する必要がなく、該ＭＢＳＦＮエリアを制御するＭＣＥに対してのみページングリクエスト信号を送信すれば良い。ページングリクエスト信号を受信したＭＣＥはそのＭＣＥが制御するＭＢＳＦＮエリア内のセルにページング信号を送信し、ページングリクエスト信号を受信しないＭＣＥはそのＭＣＥが制御するＭＢＳＦＮエリア内でページング信号を送信しないようにすることが可能となる。従って、ＭＭＥとＭＣＥ間のシグナリング量の削減を図ることができるという効果が得られる。さらに、ページング信号を送信するセルを移動端末が存在するセルおよび近傍のセルに限定することで、ある移動端末のページング信号送信に使用した物理リソースを、地理的に離れた場所においては他の移動端末へのページング信号送信に使用することが可能となり、無線リソースの効率化を図ることができる。
【図面の簡単な説明】
【０１０３】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】ＭＢＳＦＮ同期エリアとＭＢＳＦＮエリアの関係を説明する説明図である。
【図８】Ｅ−ＭＢＭＳの論理構造（Logical Architecture）を説明する説明図である。
【図９】Ｅ−ＭＢＭＳのアーキテクチャ（Architecture）を説明する説明図である。
【図１０】ＭＢＳＦＮ（Multimedia Broadcast multicast service Single Frequency Network）エリア毎に設けられた物理マルチキャストチャネルの構成を示す説明図である。
【図１１】ＭＢＳＦＮ（Multimedia Broadcast multicast service Single Frequency Network）エリア毎に設けられた物理マルチキャストチャネルの構成を示す説明図である。
【図１２】ページング信号をのせた物理マルチキャストチャネル（PMCH）の構成を示す説明図である。
【図１３】ページング信号を物理マルチキャストチャネル上の領域にマッピングする方法を示す説明図である。
【図１４】ページング信号を物理マルチキャストチャネル（ＰＭＣＨ）上のページング信号ののる物理領域にマッピングする方法の一例を示す説明図である。
【図１５】ＭＢＳＦＮエリア毎に設けられたＰＭＣＨの構成を示す説明図である。
【図１６】ＭＢＳＦＮエリア内でマルチセル送信されるページング専用の物理チャネルの構成を示す説明図である。
【図１７】ＭＢＳＦＮサブフレームの構成を示す説明図である。
【図１８】ページング信号をページング専用チャネル（DPCH）にマッピングする方法を示す説明図である。
【図１９】ページング信号をページング専用チャネル（DPCH）にマッピングする方法を示す説明図である。
【図２０】ＭＢＳＦＮ同期エリア内でマルチセル送信される物理チャネル(メインPMCH)の構成を示す説明図である。
【図２１】メインＰＭＣＨが送信される無線フレームの構成について示す説明図である。
【図２２】同期チャネルＳＣＨと同じサブフレーム内でメインＰＭＣＨが送信される無線フレームの構成について示す説明図である。
【図２３】ページング信号用領域を設けたメインＰＭＣＨの構成を示す説明図である。
【図２４】ＭＢＳＦＮエリアもしくはＭＢＳＦＮ同期エリア内の一部のセルにページング信号を送信する方法を示す説明図である。
【図２５】ページング信号を送信しないセルで設けたセル毎のパディング用コードの例を示す説明図である。
【図２６】ページング送信セル識別用コードを用いる方法を示す説明図である。
【図２７】ＭＢＭＳ関連情報とページング信号をマルチキャスト制御チャネル（MCCH）に情報要素として乗せる場合のマッピング方法を示す説明図である。
【図２８】論理チャネルＰＣＣＨを論理チャネルＭＴＣＨ、ＭＣＣＨと多重してトランスポートチャネルＭＣＨに載せる場合のマッピング方法を示す説明図である。
【図２９】論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨとＭＣＨとを多重化して物理マルチキャストチャネルに乗せる場合のマッピング方法を示す説明図である。
【図３０】ページング信号を論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨをページング専用の物理チャネルに乗せる場合のマッピング方法を示す説明図である。
【図３１】ＭＢＳＦＮ同期エリア共通の物理チャネルとしてメインＰＭＣＨを設けた場合のマッピング方法を示す説明図である。
【符号の説明】
【０１０４】
１０１  移動端末、１０２  基地局、
１０３  ＭＭＥ（Mobility Management Entity）、
１０４  Ｓ−ＧＷ（Serving Gateway）
【図１】
0005040665.tif 000002
【図２】
0005040665.tif 000003
【図３】
0005040665.tif 000004
【図４】
0005040665.tif 000005
【図５】
0005040665.tif 000006
【図６】
0005040665.tif 000007
【図７】
0005040665.tif 000008
【図８】
0005040665.tif 000009
【図９】
0005040665.tif 000010
【図１０】
0005040665.tif 000011
【図１１】
0005040665.tif 000012
【図１２】
0005040665.tif 000013
【図１３】
0005040665.tif 000014
【図１４】
0005040665.tif 000015
【図１５】
0005040665.tif 000016
【図１６】
0005040665.tif 000017
【図１７】
0005040665.tif 000018
【図１８】
0005040665.tif 000019
【図１９】
0005040665.tif 000020
【図２０】
0005040665.tif 000021
【図２１】
0005040665.tif 000022
【図２２】
0005040665.tif 000023
【図２３】
0005040665.tif 000024
【図２４】
0005040665.tif 000025
【図２５】
0005040665.tif 000026
【図２６】
0005040665.tif 000027
【図２７】
0005040665.tif 000028
【図２８】
0005040665.tif 000029
【図２９】
0005040665.tif 000030
【図３０】
0005040665.tif 000031
【図３１】
0005040665.tif 000032